(57)【特許請求の範囲】
【請求項１】
ワイヤレス端末を動作させる方法であって、
前記ワイヤレス端末において、通信システムにおける輻輳のレベルを決定するために、繰り返し発生する一連の時間および周波数リソースユニットを監視することと、
前記ワイヤレス端末において、前記決定された輻輳のレベルに基づいて送信目的で前記ワイヤレス端末によって使用されるべき通信チャネルの一部分を決定することと、なお、前記通信チャネルは、前記通信システムにおける複数の通信チャネルのうちの１つである、
を備え、
前記通信チャネルの前記部分は前記通信チャネルの分数であり、前記方法は、
前記ワイヤレス端末により占有されている前記通信チャネルの分数を示す制御情報を前記ワイヤレス端末からブロードキャストすること、なお、前記分数は前記ワイヤレス端末によって使用されるべき前記通信チャネルの前記決定された部分に対応する、
をさらに備え、
前記ワイヤレス端末において、輻輳のレベルを決定するために、繰り返し発生する一連の時間および周波数リソースユニットを監視することとは、
ピア発見通信チャネルに対応した時間および周波数リソースユニットを監視すること、なお、前記ピア発見通信チャネルが前記複数の通信チャネルのうちの１つである、
を含む、
方法。
【請求項２】
前記制御情報が、繰り返し発生するチャネルタイミング構造内の複数の繰り返し発生するチャネル部分のうちのどの１つを前記ワイヤレス端末が使用しているかを示す、請求項１に記載の方法。
【請求項３】
前記ワイヤレス端末において、繰り返し発生する一連の時間および周波数リソースユニットを前記監視することが、
周期的に前記通信チャネルを監視することと、
第２のワイヤレス通信デバイスからのブロードキャストされた制御情報を復号化することと
を含み、
使用されるべき通信チャネルの部分を前記決定することが、
前記第２の通信デバイスからの前記ブロードキャストされた制御情報に基づいて使用されるべき前記通信チャネルの前記部分を決定すること
を含む、請求項１に記載の方法。
【請求項４】
前記ワイヤレス端末によって使用されると決定された前記通信チャネルの前記部分に基づいて決定される時間間隔において探索情報を送信すること
をさらに備える、請求項１に記載の方法。
【請求項５】
ネットワーク輻輳のレベルが、前記通信チャネルを使用しているとして検出されたデバイスの数の関数である、請求項１に記載の方法。
【請求項６】
前記監視、決定およびブロードキャストのステップを繰り返すことをさらに備え、前記ワイヤレス端末が、前記決定された輻輳のレベルの変化に応答して前記ワイヤレス端末によって使用される前記通信チャネルの前記部分の大きさを変更する、請求項１に記載の方法。
【請求項７】
前記監視された繰り返し発生する一連の時間および周波数リソースユニットが、前記複数の通信チャネルにおける複数の異なる通信チャネルに対応し、前記ワイヤレス端末によって使用される前記部分に対応する前記通信チャネルが、前記複数の異なる通信チャネルの１つである、請求項６に記載の方法。
【請求項８】
前記決定された輻輳のレベル内の前記変化が、前記ワイヤレス端末ではない他のデバイスによる前記監視された繰り返し発生する一連の時間および周波数リソースユニット内の通信リソースの利用率の変化に起因している、請求項７に記載の方法。
【請求項９】
前記決定された輻輳のレベル内の前記変化が、少なくとも部分的には、前記ワイヤレス端末によって使用される前記部分に対応する前記通信チャネル以外の少なくとも１つのチャネルに対応した通信リソースの利用率における変化に起因する、請求項８に記載の方法。
【請求項１０】
ワイヤレス端末であって、
通信システムにおける輻輳のレベルを決定するために、繰り返し発生する一連の時間および周波数リソースユニットを監視するための手段と、なお、前記監視するための手段は、ハードウェアで実装される、
前記決定された輻輳のレベルに基づいて送信目的で前記ワイヤレス端末によって使用されるべき通信チャネルの部分を決定するための手段と、なお、前記通信チャネルは、前記通信システムにおける複数の通信チャネルのうちの１つであり、前記決定するための手段は、ハードウェアで実装される、
を備え、
前記通信チャネルの前記部分が、前記通信チャネルの分数であり、前記ワイヤレス端末がさらに、
前記ワイヤレス端末により占有されている前記通信チャネルの、前記分数を表示する制御情報をブロードキャストするための手段を備え、
前記分数が前記ワイヤレス端末によって使用されるべき前記通信チャネルの前記決定された部分に対応し、前記ブロードキャストするための手段は、ハードウェアで実装され、
前記通信チャネルが、探索情報を伝達するために使用されるピア発見チャネルである、
ワイヤレス端末。
【請求項１１】
繰り返し発生する一連の時間および周波数リソースユニットを監視するための前記手段が、
周期的に前記通信チャネルを監視するための手段と、
第２のワイヤレス通信デバイスからのブロードキャストされた制御情報を復号化するための手段と
を含み、
使用されるべき通信チャネルの部分を決定するための前記手段が、
前記第２の通信デバイスからの前記ブロードキャストされた制御情報に基づいて使用されるべき前記通信チャネルの前記部分を決定するための手段
を含む、請求項１０に記載のワイヤレス端末。
【請求項１２】
前記ワイヤレス端末によって使用されると決定された前記通信チャネルの前記部分に基づいて決定される時間間隔で探索情報を送信するための手段
をさらに備え、
前記送信するための手段は、ハードウェアで実装される、
請求項１０に記載のワイヤレス端末。
【請求項１３】
前記ワイヤレス端末によって使用されると決定された前記通信チャネルの前記部分が、前記通信チャネルを使用していることが検出されたデバイスの数の関数である、請求項１２に記載のワイヤレス端末。
【請求項１４】
動作を繰り返すために、前記監視するための手段、決定するための手段およびブロードキャストするための手段を制御するための手段と、なお、前記制御するための手段は、ハードウェアで実装される、
前記決定された輻輳のレベルの変化に応答して前記ワイヤレス端末によって使用される前記通信チャネルの前記部分の大きさを変更するための手段と、なお、前記変更するための手段は、ハードウェアで実装される、
をさらに備える、請求項１０に記載のワイヤレス端末。
【請求項１５】
ワイヤレス端末内で使用するためのコンピュータ読み取り可能な記憶媒体であって、
通信システムにおける輻輳のレベルを決定するために少なくとも１つのコンピュータに繰り返し発生する一連の時間および周波数リソースユニットを監視させるためのコードと、
前記少なくとも１つのコンピュータに前記決定された輻輳のレベルに基づいて送信目的で前記ワイヤレス端末によって使用されるべき通信チャネルの部分を決定させるためのコードと、なお、前記通信チャネルは、前記通信システムにおける複数の通信チャネルのうちの１つである、
を備え、
前記通信チャネルの前記部分は前記通信チャネルの分数であり、前記コンピュータ読み取り可能な記憶媒体はさらに、
前記少なくとも１つのコンピュータに前記ワイヤレス端末により占有されている前記通信チャネルの分数を表示する制御情報を前記ワイヤレス端末からブロードキャストさせるためのコード、なお、前記分数は前記ワイヤレス端末によって使用されるべき前記通信チャネルの前記決定された部分に対応する、
を備え、
前記ワイヤレス端末において、輻輳のレベルを決定するために繰り返し発生する一連の時間および周波数リソースユニットを監視することは、
ピア発見通信チャネルに対応した時間および周波数リソースユニットを監視すること、なお、前記ピア発見通信チャネルが前記複数の通信チャネルのうちの１つである、
を含む、
コンピュータ読み取り可能な記憶媒体。
【請求項１６】
ワイヤレス端末であって、
通信システムにおける輻輳のレベルを決定するために、繰り返し発生する一連の時間および周波数リソースユニットを監視し、
前記決定された輻輳のレベルに基づいて送信目的で前記ワイヤレス端末によって使用されるべき通信チャネルの部分を決定し、前記通信チャネルは、前記通信システムにおける複数の通信チャネルのうちの１つである、
ように構成された少なくとも１つの処理装置と、
前記少なくとも１つの処理装置に接続されたメモリと
を備え、
前記通信チャネルの前記部分が、前記通信チャネルの分数であり、
前記少なくとも１つの処理装置が、前記ワイヤレス端末により占有されている前記通信チャネルの、前記分数を表示する制御情報をブロードキャストするようにさらに構成され、前記分数が前記ワイヤレス端末によって使用されるべき前記通信チャネルの前記決定された部分に対応し、
前記通信チャネルが、探索情報を伝達するために使用されるピア発見チャネルである、
ワイヤレス端末。
【請求項１７】
前記通信チャネルの前記部分は前記ピア発見通信チャネルの分数部分の数を含み、前記分数部分の数が、前記決定された輻輳のレベルの関数である、
請求項１に記載の方法。
【発明の詳細な説明】
【技術分野】
【０００１】
様々な実施形態は、ワイヤレス通信に関し、より詳細には、デバイスの密集度が変動するピアツウピアネットワーク内の通信を制御するための方法および装置に関する。
【背景技術】
【０００２】
ワイヤレス端末が直接相互に通信するピアツウピアワイヤレス通信システムにおいては、近傍の地域内にその時々で異なる数のワイヤレス通信デバイスがあることが予想され得る。ピアツウピアワイヤレスデバイスが、たまたまその近傍内に存在し得る他のデバイスに比較的頻繁に少量の情報、例えば、探索情報（discovery information）を伝達することができれば、便利であろう。従って、近傍の地域内のデバイスは、状況を常に認識することができよう。探索目的で使用される利用可能な無線接続リソースの量は限定されている。探索に割り当てられるリソースは、他の目的、例えば、ピアツウピアトラック信号のために割り当てられ得るリソース量から取り上げられる。
【０００３】
多数のユーザを収容するように設計されている硬直的なピア発見（peer discovery）実装は、高輻輳（high congestion）時には良いが、多くの利用可能なスロットが未使用であり得る低輻輳(low congestion)時には非効率となり得る。あるいは、少数のユーザを収容するように設計されている硬直的なピア発見実装は、低輻輳の期間中は良いが、高輻輳時には圧倒され、ユーザがスロットを獲得できない可能性がある。
【０００４】
上記の考察に基づいて、ピア発見リソースの柔軟な使用を容易にする方法および装置が必要であることが理解されよう。
【発明の概要】
【０００５】
通信ネットワークで使用するためにチャネルの一部、例えば、ピア発見チャネルを決定するための方法および装置が記載される。様々な記載された方法および装置は、アドホックピアツウピアネットワーク、例えば、ワイヤレス端末が中央ネットワーク制御装置の関与なしに直接互いに通信するネットワーク内での使用に十分適している。通信ネットワークでは、チャネルは、繰り返し発生する一連の時間／周波数リソースを含む。デバイスは、輻輳レベルを監視し、全チャネルまたはチャネルの分数（a fraction of a channel）（例えば、１／２、１／４）を輻輳レベルに応じて使用すると決定する。デバイスは、輻輳レベルが変化する場合に占有するチャネル量を変更することができる。デバイスは、自身が占有するチャネルの部分を表示する制御情報をブロードキャストする。
【０００６】
ある例示的実施形態では、繰り返し発生するタイミング構造（timing structure）内に複数のピア発見チャネルが存在する。ワイヤレス通信デバイスは、ピア発見チャネルの少なくとも一部を監視し、輻輳のレベルを決定する。決定された輻輳のレベルに基づいて、ワイヤレス通信デバイスは、目的とするピア発見送信に対して全ピア発見チャネルを、または目的とするピア発見送信に対してピア発見チャネルの分数(a fraction of a peer discovery channel)を使用するかを決定する。デバイスは、送信に使用されるピア発見チャネル部分を表示している制御情報をブロードキャストする。いくつかの実施形態では、制御情報は、パイロット信号によって符号化され、例えば、異なるパイロットシンボルシーケンスが異なるレベルのチャネル使用を伝達し、および／またはチャネルのどの特定の部分がデバイスによって使用されているかを伝達する。ワイヤレス通信デバイスは、輻輳のレベルにおける検出された変化に応答してピア発見チャネル使用量を変更することができる。輻輳変動に応答したピア発見リソース使用の動的調整は、限定されたピア発見無線リンクリソースの効率的な使用を促進することができる。いくつかの実施形態では、ワイヤレス通信デバイスは、ワイヤレス端末である。ワイヤレス端末は、例えば、モバイルデバイス、例えば、電話用デバイス、携帯情報端末（ＰＤＡ）などの携帯デバイスであり得る。
【０００７】
通信デバイスを動作させる例示的方法は、いくつかの実施形態によれば、繰り返し発生する一連の時間および周波数リソースユニットを監視し、輻輳のレベルを決定することと、決定された輻輳のレベルに基づいて送信目的で前記通信デバイスによって使用されるべき通信チャネルの一部を決定することとを備える。例示的通信デバイスは、いくつかの実施形態によれば、繰り返し発生する一連の時間および周波数リソースユニットを監視して輻輳のレベルを決定し、決定された輻輳のレベルに基づいて送信目的で前記通信デバイスによって使用されるべき通信チャネルの一部を決定する、ように構成された少なくとも１つの処理装置を備える。例示的通信デバイスはさらに、前記少なくとも１つの処理装置に接続されたメモリを備える。
【０００８】
様々な実施形態が上記の概要の中で考察されているが、全ての実施形態が同一の機能を含む必要はなく、上記の機能のいくつかが必要ではないがいくつかの実施形態では望ましい可能性もあることを理解されたい。多数の付加的な機能、実施形態および様々な実施形態の便益は、以下の詳細な説明の中で考察される。
【図面の簡単な説明】
【０００９】
【図１】例示的実施形態に従った例示的ピアツウピア通信システムの図。
【図２】例示的実施形態に従った通信デバイスを動作させる例示的方法の流れ図。
【図３】例示的実施形態に従った例示的通信デバイスの図。
【図４】図３に示された通信デバイス中で使用することができ、いくつかの実施形態中で使用されるモジュールの集合。
【図５】例示的ピアツウピアの繰り返し発生するタイミング構造中の例示的無線リンクリソースを示す例示的周波数対時間のプロット図。
【図６】例示的ピアツウピアの繰り返し発生するタイミング構造中の例示的ピア発見無線リンクリソースを示す例示的周波数対時間のプロット図。
【図７】図６に示されるピア発見リソースブロック内の例示的ピア発見リソースセットを示す例示的周波数対時間のプロット図。
【図８】別の例示的実施形態に対する図６に示されるピア発見リソースブロック内の例示的ピア発見リソースセットを示す例示的周波数対時間のプロット図。
【図９】繰り返し発生するタイミング／周波数構造（timing frequency structure）中の例示的ピア発見チャネル部を示す例示的周波数対時間のプロット図。
【図１０】例示的ピア発見リソースセットを示す図面。
【図１１】パイロットおよびデータシンボルを搬送するために使用される例示的ピア発見リソースセットを示す図。
【図１２】例示的な別のパイロットシーケンスの表を示す図および１組の２つのパイロットシンボルの複素平面へのマッピングを示すプロット図。
【図１３】例示的な別のパイロットシーケンスの表を示す図および１組の４つのパイロットシンボルの複素平面へのマッピングを示すプロット図。
【図１４】ワイヤレスデバイスが、決定されたネットワーク輻輳のレベルに応じて、自身のピア発見信号送信に使用するためにピア発見通信チャネルの部分を決定し、ブロードキャストパイロットシンボルシーケンスにより自身のチャネル部使用情報を伝達する例示的実施形態における例を示す図。
【図１５】ワイヤレスデバイスが、決定されたネットワーク輻輳のレベルに応じて、自身のピア発見信号送信に使用するためにピア発見通信チャネルの部分を決定し、ブロードキャストパイロットシンボルシーケンスにより自身のチャネル部使用情報を伝達する別の例示的実施形態における例を示す図。
【図１６】ワイヤレスデバイスが、決定されたネットワーク輻輳のレベルに応じて、自身のピア発見信号送信に使用するためにピア発見通信チャネルの部分を決定し、ブロードキャストパイロットシンボルシーケンスにより自身のチャネル部使用情報を伝達する別の例示的実施形態における例を示す図。
【発明を実施するための形態】
【００１０】
図１は、例示的実施形態に従った例示的ピアツウピア通信システム１００の図である。
【００１１】
例示的ピアツウピア通信システム１００は、複数のワイヤレス通信デバイス（デバイス１
１０２、デバイス２  １０４、デバイス３  １０６、デバイス４  １０８、デバイス５
１１０、デバイス６  １１２、デバイス７  １１４、．．．、デバイスＮ  １１６）を含む。ワイヤレス通信デバイスのいくつか、例えば、デバイス１  １０２、デバイス２  １０４、デバイス３  １０６、デバイス５  １１０、デバイス６  １１２、デバイス７  １１４、．．．、デバイスＮ  １１６は、モバイルワイヤレス通信デバイス、例えば、ピアツウピア通信をサポートする携帯ワイヤレス端末である。ワイヤレス通信デバイスのいくつか、例えば、デバイス４  １０８は、バックホールネットワークを通じてインターネットおよび／または他のネットワークノードにデバイスを接続する、インターフェース１１８、例えば、有線または光ファイバーインターフェースを含む。デバイス４  １０８は、例えば、ピアツウピア通信をサポートするアクセスポイントである。ピアツウピア通信システム１００は、何組かのピア発見リソースを含む繰り返し発生するピアツウピアタイミング構造を使用する。
【００１２】
システム１００内のワイヤレス通信デバイスは、繰り返し発生する一連の時間および周波数リソースユニットを監視し、輻輳のレベルを決定する。繰り返し発生する一連の時間および周波数リソースユニットは、いくつかの実施形態では、繰り返し発生するピアツウピアタイミング構造内のピア発見信号を搬送するように指定されたリソースユニット、例えば、ＯＦＤＭトーンシンボルである。ワイヤレス通信デバイスは、決定された輻輳のレベルに基づいて送信目的で使用するために、通信チャネルの一部、例えば、ピア発見通信チャネルの一部を決定する。ワイヤレスデバイスは、通信チャネルの決定された部分を使用して信号を送信する。例えば、ワイヤレス通信デバイスは、ピア発見チャネルの決定された部分を使用して、データシンボルおよびパイロットシンボルを含むピア発見信号を送信する。いくつかの実施形態では、送信された信号は、通信デバイスにより占有されるチャネルの分数（the fraction of the channel）を示す制御情報を搬送する、例えば、送信されたパイロットシンボルは、分数のチャネル使用情報を示す制御情報（the control information indicating fractional channel usage information）を搬送する。
【００１３】
図２は、例示的実施形態に従った通信デバイスを動作させる例示的方法の流れ図２００である。通信デバイスは、例えば、ピアツウピア通信ネットワーク、例えば、アドホックピアツウピア通信ネットワーク内のワイヤレス通信デバイスである。動作は、通信デバイスに電源が入れられ、初期化されるステップ２０２で始まり、ステップ２０４に進む。ステップ２０４において、通信デバイスは、輻輳のレベルを決定するために、繰り返し発生する１組の時間および周波数リソースユニットを監視する。いくつかの実施形態では、輻輳のレベルは、通信チャネルを使用していることが検出されたデバイスの数例えば、通信デバイスが流れ図２００の方法を実装している場合に、同一のピア発見通信チャネルを使用していることが検出された通信デバイスの数の関数である。いくつかの実施形態では、輻輳のレベルは、複数の通信チャネルのいずれかを使用していることが検出されたデバイスの数、例えば、監視時間間隔の間に複数のピア発見通信チャネルのいずれかを使用していることを検出された通信デバイスの総数の関数である。いくつかの実施形態では、輻輳のレベルは、ネットワークの輻輳のレベルであり、前記監視された一連の繰り返し発生する時間および周波数リソースユニットは複数のピア発見チャネルに対応する。いくつかの実施形態では、輻輳のレベルはチャネル輻輳のレベルである。動作はステップ２０４からステップ２０６に進む。
【００１４】
ステップ２０６において、通信デバイスは、決定された輻輳のレベルに基づいて送信目的で前記通信デバイスによって使用されるべき通信チャネルの一部を決定する。時には、通信デバイスは、全通信チャネル、例えば、全ピア発見チャネルを使用すると決定する可能性がある。別な場合には、通信デバイスは、通信チャネルの一部、例えば、ピア発見チャネルの１／２、１／４または３／４を使用すると決定する可能性がある。従って、デバイスは、全チャネルに相当するチャネルの部分、または全チャネルより少ない部分を使用すると決定することができる。いくつかの実施形態では、通信チャネルは、ピア発見情報を伝達するために使用されるチャネル、例えば、ピアツウピア発見チャネルである。いくつかの実施形態では、前記通信チャネルの一部は、通信チャネルの分数（a fraction of the communications channel）である。いくつかの実施形態では、前記通信デバイスによって使用されると決定された通信チャネルの一部は、前記通信チャネルを使用していることを検出されたデバイスの数の関数である。
【００１５】
様々な実施形態で、監視された繰り返し発生する一連の時間および周波数リソースユニットは複数の異なる通信チャネルに対応しており、前記通信デバイスによって使用される前記部分に対応した前記通信チャネルは、複数の異なる通信チャネルの１つである。
【００１６】
いくつかの実施形態では、繰り返し発生する一連の時間および周波数リソースユニットを監視するステップ（ステップ２０４）は、反復的に通信チャネルを監視することと、第２のワイヤレス通信デバイスからのブロードキャスト制御情報を復号化することとを含む。いくつかのそのような実施形態では、使用されるべき通信チャネルの一部を決定するステップ（ステップ２０４）は、前記第２の通信デバイスからの前記ブロードキャスト制御情報に基づいて使用されるべき前記通信チャネルの前記部分を決定することを含むことができ、また実際に含むことがある。例えば、通信デバイスは、自身のピア発見シグナリングに使用するために特定のピア発見通信チャネルを選択した可能性があり、同様に同一のピア発見チャネルを使用する他のデバイスからの当該特定のピア発見チャネル上に検出された活動を監視することができる。次いで、通信デバイスは、ピア発見リソースの量およびピア発見チャネルの内のいずれの特定のピア発見リソースを自身のピア発見シグナリングを送信する、例えば、未使用の利用可能なリソースを特定し選択するために使用すべきかを決定するために検出された情報を使用することができる。
【００１７】
動作は、ステップ２０６からステップ２０８に進む。ステップ２０８において、通信デバイスは、前記通信デバイスに占有されているチャネルの分数（the fraction of the channel）を示す制御情報をブロードキャストし、前記分数は、前記通信デバイスによって使用されるべき通信デバイスの決定された部分に対応する。いくつかの実施形態では、ブロードキャスト制御情報は、前記通信デバイスが使用している繰り返し発生するタイミング構造中の複数の繰り返し発生するチャネル部分の１つを表示する。例えば、ある例示的実施形態では、通信チャネルは、第１の、第２の、第３のおよび第４の繰り返し発生する部分に分割され、ブロードキャスト制御情報は、通信デバイスが通信チャネルの１／４を使用している場合、第１の、第２の、第３のまたは第４の部分のどれを通信デバイスが反復的に使用しているかを表示する。いくつかの実施形態では、通信デバイスは、例えば、全チャネル（the full channel）を使用すると決定した場合、チャネルの分数部分のそれぞれ上で（on each of the fractional portions of the channel）自身のピア発見信号を時にはブロードキャストする可能性がある。別な場合には、通信デバイスは、例えば、チャネルが部分的に通信デバイスによって使用されている場合（when less than the full channel is being used by the communications device）、ピア発見チャネルのすべての分数部分よりも少ない部分上で（on less than all of the fractional portions of a peer discovery channel）自身のピア発見信号をブロードキャストする可能性がある。動作はステップ２０８からステップ２１０に進む。
【００１８】
ステップ２１０において、通信デバイスは、前記通信デバイスによって使用されると決定された通信チャネルの部分に基づいて決定された時間間隔で探索情報を送信する。動作はステップ２１０からステップ２１２に進む。
【００１９】
ステップ２１２において、通信デバイスは、輻輳の第２のレベルを決定するために、繰り返し発生する一連の時間および周波数リソースユニットを監視する。動作はステップ２１２からステップ２１４に進む。
【００２０】
ステップ２１４において、通信デバイスは、決定された輻輳の第２のレベルに基づいて送信目的で前記通信デバイスによって使用されるべき通信チャネルの部分を決定する。ステップ２１４は、サブステップ２１６、２１８および２２０を含む。サブステップ２１６において、通信デバイスは、決定された輻輳のレベルが前記通信デバイスによって使用されるべき通信チャネルの部分の大きさの変更を始動するレベルに変化したか否かを確認する。サブステップ２１６の決定が、通信デバイスによって使用されるべき通信チャネルの部分の大きさの変更を始動するなど、決定された輻輳のレベルが変化していることを表示している場合、工程はサブステップ２１６からサブステップ２１８に進む。サブステップ２１８において、通信デバイスは、決定されたネットワーク輻輳のレベルの変化に応答して前記通信デバイスによって使用される通信チャネルの前記部分の大きさを変更する。いくつかの実施形態では、決定されたネットワーク輻輳のレベルの変化は、前記通信デバイスではない他のデバイスによる前記監視された一連の通信リソース中の通信リソースの利用率の変化に起因する可能性があり、実際に起因することがある。いくつかの実施形態では、決定された輻輳のレベルの変化は、少なくとも部分的には、前記通信デバイスによって使用される前記部分に対応した通信チャネル以外の少なくとも１つの通信チャネルに対応した通信リソースの利用率の変化に起因する可能性があり、実際に起因することがある。
【００２１】
サブステップ２１６の決定が、決定された輻輳のレベルが前記通信デバイスによって使用されるべき通信チャネルの部分の大きさの変更を始動するように変化していないことを示す場合、動作はサブステップ２１６からサブステップ２２０に進む。サブステップ２２０において、通信デバイスは、前記通信デバイスによる通信チャネルの同一の大きさの部分の使用を継続すると決定する。動作はステップ２１４からステップ２２２に進む。
【００２２】
ステップ２２２において、通信デバイスは、前記通信デバイスにより占有されている前記通信チャネルの分数（the fraction of the communications channel）を示す制御情報をブロードキャストし、前記分数は、決定された輻輳の第２のレベルに基づいて前記通信デバイスによって使用されるべき通信チャネルの決定された部分に対応する。ステップ２１２、２１４および２２２は、いくつかの実施形態では、前記の監視し、決定し、ブロードキャストするステップ（２０４、２０６、２０８）を繰り返すことと、決定された輻輳のレベルの変化、例えば、通信デバイスによって使用されるべきチャネル部分の大きさにおける始動を開始するための輻輳のレベルの変化に応答して前記通信デバイスによって使用される通信チャネルの前記部分の大きさを変更することと見做され得る。
【００２３】
動作はステップ２２２からステップ２２４に進む。ステップ２２４において、通信デバイスは、決定された輻輳の第２のレベルに基づいて前記通信によって使用されるべきと決定された通信チャネルの部分に基づいて決定される時間間隔で探索情報を送信する。動作は、別の輻輳の決定を行う追加的監視のためにステップ２２４からステップ２１２に進む。
【００２４】
図３は、例示的実施形態に従った、例示的通信デバイス３００の図である。例示的通信デバイス３００は、例えば、図１のワイヤレス通信デバイスの１つである。例示的通信デバイス３００は、図２の流れ図２００に従った方法を実装することができ、実際に実装することがある。
【００２５】
通信デバイス３００は、様々な素子（３０２、３０４）がデータおよび情報を交換することができるバス３０９により相互に接続された処理装置３０２とメモリ３０４とを具備する。通信デバイス３００はさらに、図示のように処理装置３０２に接続され得る入力モジュール３０６と出力モジュール３０８とを具備する。しかしながら、いくつかの実施形態では、入力モジュール３０６および出力モジュール３０８は、処理装置３０２に内蔵される。入力モジュール３０６は、入力信号を受信することができる。入力モジュール３０６は、入力を受信するためのワイヤレス受信機および／あるいは有線または光入力インターフェースを具備することができ、いくつかの実施形態では具備している。出力モジュール３０８は、出力を送信するためのワイヤレス送信機および／あるいは有線または光出力インターフェースを具備することができ、いくつかの実施形態では実際に具備する。
【００２６】
処理装置３０２は、繰り返し発生する一連の時間および周波数リソースユニットを監視して輻輳のレベルを決定し、決定された輻輳のレベルに基づいて送信目的で前記通信デバイスによって使用されるべき通信チャネルの部分を決定するように構成される。いくつかの実施形態では、通信チャネルの前記部分は、通信チャネルの分数であり、処理装置３０２はさらに、前記通信デバイスにより占有されている、前記通信デバイスによって使用されるべきと決定された通信チャネルの部分に対応した、チャネルの分数を表示する制御情報をブロードキャストするように構成される。
【００２７】
いくつかの実施形態では、前記ブロードキャスト制御情報は、繰り返し発生するチャネルタイミング構造中の複数の繰り返し発生するチャネル部分のどれを前記通信デバイスが使用しているかを表示する。例えば、通信チャネルが、第１、第２、第３および第４の繰り返し発生する部分に分割される場合、いくつかの実施形態では、ブロードキャスト制御情報は、通信デバイスがチャネルの１／４を使用する場合、第１、第２、第３または第４の部分のどれを通信デバイスが反復的に使用しているかを表示する。
【００２８】
いくつかの実施形態では、前記通信チャネルは、探索情報、例えば、ピアツウピア発見情報を伝達するために使用されるチャネルである。ピア発見情報のある例には、デバイス識別子、ユーザ識別子、グループ識別子、サービスリクエスト、サービスの提供、デバイスまたはユーザに対するリクエスト、製品に対するリクエスト、製品の提供、情報のリクエスト、情報の提供および広告情報が含まれる。
【００２９】
いくつかの実施形態では、処理装置３０２はさらに、前記通信デバイスによって使用されると決定された通信チャネルの部分に基づいて決定される時間間隔で探索情報を送信するように構成される。いくつかのそのような実施形態では、前記通信デバイスによって使用されると決定された通信チャネルの前記部分は、前記通信チャネルを使用していることが検出されたデバイスの数の関数である。
【００３０】
様々な実施形態では、処理装置３０２はさらに、前記の監視をし、決定しブロードキャストするステップを繰り返すように構成される。いくつかの実施形態では、処理装置３０２はさらに、決定された輻輳のレベルの変化に応答して前記通信デバイスによって使用されるチャネルの前記部分の大きさを変更するように構成される。
【００３１】
いくつかの実施形態では、前記監視された繰り返し発生する一連の時間および周波数リソースユニットは、複数の異なる通信チャネルに対応し、前記通信デバイスによって使用される前記部分に対応する前記通信チャネルは、前記複数の異なる通信チャネルの１つである。いくつかの実施形態では、決定された輻輳のレベルにおける前記変化は、前記通信デバイスではなく他のデバイスによる前記監視された一連の通信リソース中の通信リソースの利用率の変化に起因する可能性があり、実際に起因することがある。いくつかの実施形態では、決定された輻輳のレベルにおける前記変化は、少なくとも一部は、前記通信デバイスによって使用される前記部分に対応する、前記通信チャネル以外の少なくとも１つの他のチャネルに対応した通信リソースの利用率の変化に起因する可能性があり、実際に起因することがある。
【００３２】
図４は、図３に示された通信デバイス３００中で使用することができ、いくつかの実施形態で使用される、モジュールの集合４００である。集合４００内のモジュールは、図３の処理装置３０２内のハードウェア中に、例えば個別の回路として実装され得る。あるいは、モジュールは、ソフトウェア中に実装され図３に示された通信デバイス３００のメモリ３０４内に格納され得る。実施形態は、単一の処理装置、例えば、コンピュータとして図３に示されているが、処理装置３０２が１つまたは複数の処理装置、例えば、コンピュータとして実装され得ることが理解されよう。ソフトウェア中に実装される場合、モジュールは、処理装置により実行されとき、処理装置、例えばコンピュータ、３０２がモジュールに対応した機能を実装するように構成するコードを含む。いくつかの実施形態では、処理装置３０２は、モジュールの集合４００の各モジュールを実装するように構成される。モジュールの集合４００がメモリ３０４内に格納される実施形態では、メモリ３０４は、少なくとも１つのコンピュータ、例えば、処理装置３０２にモジュールに対応する機能を実装させるための、コード、例えば、各モジュールに対する個別のコードを備えるコンピュータ読み取り可能な媒体を備えるコンピュータプログラム製品である。
【００３３】
完全にハードウェアに基づくまたは完全にソフトウェアに基づくモジュールが使用され得る。しかしながら、ソフトウェアおよびハードウェア（例えば、実装された回路）モジュールの任意の組み合わせが、機能を実装するために使用され得ることを理解されたい。
【００３４】
図４に示されたモジュールが、通信デバイス３００または処理装置３０２などのその中の要素を制御しおよび／または図２の方法の流れ図２００に示された対応するステップの機能を遂行するように構成することもまた理解すべきである。
【００３５】
モジュールの集合４００は、繰り返し発生する一連の時間および周波数リソースユニットを監視し、輻輳のレベルを決定するためのモジュール４０４と、決定された輻輳のレベルに基づいて送信目的で前記通信デバイスによって使用されるべき通信チャネルの部分を決定するためのモジュール４０６と、通信デバイスにより占有されているチャネルの分数を表示する制御情報をブロードキャストするためのモジュール４０８と、なお、前記分数は、前記通信デバイスによって使用されるべき通信チャネルの決定された部分に対応する、前記通信デバイスによって使用されると決定された通信チャネルの部分に基づいて決定される時間間隔で探索情報を送信するためのモジュール４１０と、を含む。モジュールの集合４００はさらに、繰り返し発生する一連の時間および周波数リソースユニットを監視し、輻輳の第２のレベルを決定するためのモジュール４１２を含む。モジュールの集合４００はさらに、決定された輻輳の第２のレベルに基づいて送信目的で前記通信デバイスによって使用される通信チャネルの部分を決定するためのモジュール４１４と、前記通信デバイスにより占有されている通信チャネルの分数を表示する制御情報をブロードキャストするためのモジュール４２２と、なお、前記分数は、輻輳の第２のレベルに基づいて前記通信デバイスによって使用される通信チャネルの決定された部分に対応する、輻輳の第２のレベルに基づいて前記通信デバイスによって使用されると決定された通信チャネルの部分に基づいて決定される時間間隔で探索情報を送信するためのモジュール４２４と、動作を繰り返すために監視のための前記モジュール４０４、決定するためのモジュール４０６およびブロードキャストするためのモジュール４０８を制御するためのモジュール４２６とを含む。いくつかの実施形態では、モジュール４２６はまた、動作を繰り返すために監視するためのモジュール４１２、決定するためのモジュール４１４およびブロードキャストするためのモジュール４２２を制御する。
【００３６】
いくつかの実施形態では、モジュール４１４は、輻輳のレベルが前記通信デバイスによって使用される通信チャネルの前記部分の前記大きさの変更を始動するレベルに変化しているかどうかを決定するためのモジュール４１６と、決定された輻輳のレベルの変化に応答して前記通信デバイスによって使用される通信チャネルの前記部分の大きさを変更するためのモジュール４１８と、前記通信デバイスによりチャネルの同一の大きさの部分を使用することを継続するように決定するためのモジュール４２０との内の１つまたは複数を含む。様々な実施形態で、モジュール４１６の決定は、モジュール４１８およびモジュール４２０の内の１つを動作させる。いくつかの実施形態では、モジュール４１６、４１８および４２０の内の１つまたは複数は、モジュール４１４内のサブモジュールである。いくつかの実施形態では、モジュール４１６、４１８および４１８の内の１つまたは複数は、モジュール４１４に関して独立なモジュールである。
【００３７】
いくつかの実施形態では、モジュール４０４は、周期的に通信チャネルを監視するためのモジュール４２８と、第２の通信デバイスからのブロードキャスト制御情報を復号化するためのモジュール４３０と、ピア発見信号を送信しているデバイスの総数を計数するためのモジュール４３２と、個別のピア発見チャネル上にピア発見信号を送信しているいくつかのデバイスを計数するためのモジュール４３４と、の内の１つまたは複数を含む。いくつかの実施形態では、通信デバイスは、例えば、検出されたピア発見信号の総数に基づいて、ピア発見に関してのネットワーク輻輳の全体的なレベルを決定する。いくつかの実施形態では、通信デバイスは、例えば、自身が使用している特定のピア発見チャネル上の検出された現在の使用状況に基づいて、自身のピア発見信号を送信するために使用している特定のピア発見チャネルに対するチャネルレベルの輻輳を決定する。
【００３８】
いくつかの実施形態では、モジュール４０６は、前記第２の通信デバイスからの前記ブロードキャスト制御情報に基づいて使用される前記通信チャネルの前記部分を決定するためのモジュール４３６を含む。いくつかの実施形態では、モジュール４２８、４３０、４３２、４３４および４３６の内の１つまたは複数は、独立なモジュールであり得る。
【００３９】
図５は、例示的ピアツウピアの繰り返し発生するタイミング構造における例示的無線リンクリソースを示す例示的周波数対時間プロット５００の図である。周波数対時間描画５００は、周波数、例えば、ＯＦＤＭトーンを表す縦軸５０２と、時間、例えば、ＯＦＤＭシンボル送信時間間隔を表す横軸５０４とを含む。プロット５００は、ピア発見無線リンクリソース５０６と、ピアツウピア接続確立無線リンクリソース５０８と、ピアツウピアトラヒック無線リンクリソース５１０と、他の無線リンクリソース５１２とを含む。
【００４０】
図６は、例示的ピアツウピアの繰り返し発生するタイミング構造における例示的ピア発見無線リンクリソースを示す例示的周波数対時間プロット６００の図である。周波数対時間プロット６００は、周波数、例えば、ＯＦＤＭトーンを表す縦軸６０１と、時間、例えば、ＯＦＤＭシンボル送信時間間隔を表す横軸６０３とを含む。この例では、繰り返し発生するタイミング構造内にＭ個の探索間隔（探索間隔１  ６０８、探索間隔２  ６１０、．．．、探索間隔Ｍ  ６１２）がある。ピア発見無線リンクリソース６０２は、探索間隔１  ６０８の間に発生し、ピア発見無線リンクリソース  ６０４は、探索間隔２  ６１０の間に発生し、またピア発見無線リンクリソース６０６は、探索間隔Ｍ  ６１２の間に発生する。図５のピア発見無線リンクリソース５０６は、例えば、図６のピア発見無線リンクリソースブロック（６０２、６０４、６０６）のいずれかである。
【００４１】
図７は、図６に示されるピア発見リソースブロック内の例示的ピア発見リソースセットを示す例示的周波数対時間プロット７００の図である。ピア発見無線リンクリソースブロック６０２は、最高周波数から最低周波数の順序で、ピア発見リソースセット１  ７０２と、ピア発見リソースセット２  ７０４と、ピア発見リソースセット３  ７０６と、ピア発見リソースセット４  ７０８と、ピア発見リソースセット５  ７１０と、ピア発見リソースセット６  ７１２と、ピア発見リソースセット７  ７１４と、ピア発見リソースセット８  ７１６と、ピア発見リソースセット９  ７１８と、ピア発見リソースセット１０  ７２０と、ピア発見リソースセット１１  ７２２と、ピア発見リソースセット１２  ７２４と、ピア発見リソースセット１３  ７２６と、ピア発見リソースセット１４  ７２８とを含む。ピア発見無線リンクリソースブロック６０４は、最高周波数から最低周波数の順序で、ピア発見リソースセット１  ７３２と、ピア発見リソースセット２  ７３４と、ピア発見リソースセット３  ７３６と、ピア発見リソースセット４  ７３８と、ピア発見リソースセット５  ７４０と、ピア発見リソースセット６  ７４２と、ピア発見リソースセット７  ７４４と、ピア発見リソースセット８  ７４６と、ピア発見リソースセット９  ７４８と、ピア発見リソースセット１０  ７５０と、ピア発見リソースセット１１  ７５２と、ピア発見リソースセット１２  ７５４と、ピア発見リソースセット１３  ７５６と、ピア発見リソースセット１４  ７５８とを含む。ピア発見無線リンクリソースブロック６０６は、最高周波数から最低周波数の順序で、ピア発見リソースセット１  ７６２と、ピア発見リソースセット２  ７６４と、ピア発見リソースセット３  ７６６と、ピア発見リソースセット４  ７６８と、ピア発見リソースセット５  ７７０と、ピア発見リソースセット６  ７７２と、ピア発見リソースセット７  ７７４と、ピア発見リソースセット８
７７６と、ピア発見リソースセット９  ７７８と、ピア発見リソースセット１０  ７８０と、ピア発見リソースセット１１  ７８２と、ピア発見リソースセット１２  ７８４と、ピア発見リソースセット１３  ７８６と、ピア発見リソースセット１４  ７８８とを含む。
【００４２】
ピア発見通信チャネルは、セット番号で関連付けられたピア発見リソースセットを含むことができる。例えば、第１のピア発見通信チャネルは、セット番号１を伴うピア発見リソースセット（７０２、７３２、．．．、７６２）を備えることができる。同様に、第２のピア発見通信チャネルは、セット番号２を伴うピア発見リソースセット（７０４、７３４、．．．、７６４）を備え、以下同様である。
【００４３】
図７の例では、ピア発見リソースブロックは、１４個の例示的ピア発見リソースセットに分割される。他の例では、ピア発見リソースブロックは、異なる数のピア発見リソースセットを含むことができる。いくつかのそのような実施形態では、ピア発見リソースブロックは、１００個を超えるピア発見リソースセットを含む。いくつかの実施形態では、同一のピア発見リソースセットは、各連続したピア発見リソースブロック内に含まれる必要はない。いくつかの実施形態では、ピア発見リソースブロック内の同一のトーンに対応した複数のピア発見リソースセット、例えば、第１の時間間隔に対する第１のピア発見リソースセットおよび第２の時間間隔に対する第２のピア発見リソースセットがあり得る。
【００４４】
図８は、別の例示的実施形態に対する図６に示されるピア発見リソースブロック内の例示的ピア発見リソースセットを示す例示的周波数対時間プロット８００の図である。ピア発見無線リンクリソースブロック６０２は、最高周波数から最低周波数の順序で、ピア発見リソースセット１  ８０２と、ピア発見リソースセット２  ８０４と、ピア発見リソースセット３  ８０６と、ピア発見リソースセット４  ８０８と、ピア発見リソースセット５  ８１０と、ピア発見リソースセット６  ８１２と、ピア発見リソースセット７  ８１４と、ピア発見リソースセット８  ８１６と、ピア発見リソースセット９  ８１８と、ピア発見リソースセット１０  ８２０と、ピア発見リソースセット１１  ８２２と、ピア発見リソースセット１２  ８２４と、ピア発見リソースセット１３  ８２６と、ピア発見リソースセット１４  ８２８とを含む。ピア発見無線リンクリソースブロック６０４は、最高周波数から最低周波数の順序で、ピア発見リソースセット１０  ８３２と、ピア発見リソースセット１２  ８３４と、ピア発見リソースセット４  ８３６と、ピア発見リソースセット１４  ８３８と、ピア発見リソースセット７  ８４０と、ピア発見リソースセット８  ８４２と、ピア発見リソースセット５  ８４４と、ピア発見リソースセット１１  ８４６と、ピア発見リソースセット１３  ８４８と、ピア発見リソースセット６  ８５０と、ピア発見リソースセット１  ８５２と、ピア発見リソースセット２  ８５４と、ピア発見リソースセット９  ８５６と、ピア発見リソースセット３  ８５８とを含む。ピア発見無線リンクリソースブロック６０６は、最高周波数から最低周波数の順序で、ピア発見リソースセット１４  ８６２と、ピア発見リソースセット１  ８６４と、ピア発見リソースセット１１  ８６６と、ピア発見リソースセット８  ８６８と、ピア発見リソースセット６  ８７０と、ピア発見リソースセット７  ８７２と、ピア発見リソースセット２  ８７４と、ピア発見リソースセット１３  ８７６と、ピア発見リソースセット４  ８７８と、ピア発見リソースセット１０  ８８０と、ピア発見リソースセット１２  ８８２と、ピア発見リソースセット３  ８８４と、ピア発見リソースセット５  ８８６と、ピア発見リソースセット９  ８８８とを含む。
【００４５】
図８の例では、ピア発見識別子に関連したリソースセットは、あるトーンから別のトーンへ、あるピア発見リソースブロックから別のブロックへ所定のホッピング方式に従ってホップする。
【００４６】
ピア発見通信チャネルは、セット番号と関連したピア発見リソースセットを含むことができる。例えば、第１のピア発見通信チャネルは、セット番号１を伴うピア発見リソースセット（８０２、８５２、．．．、８６４）を備えることができる。同様に、第２のピア発見通信チャネルは、セット番号２を伴うピア発見リソースセット（８０４、８５４、．．．、８７４）を備えることができ、以下同様である。
【００４７】
図９は、繰り返し発生するタイミング周波数構造における例示的ピア発見チャネル部分を示す例示的周波数対時間プロット９００の図である。縦軸６０１は、周波数、例えば、ＯＦＤＭトーンシンボルを表すと共に、横軸６０３は、時間、例えば、ＯＦＤＭシンボル送信時間間隔を表す。この例では、１４個のピア発見通信チャネルおよびＭ個の探索間隔（探索間隔１  ６０８、探索間隔２  ６１０、．．．、探索間隔Ｍ  ６１２）がある。各ピア発見チャネルは、チャネル部分を含む。ピア発見チャネル１は、複数のピア発見チャネル１部分（ＰＤチャネル１部分Ａ  ９０２、ＰＤチャネル１部分Ｂ  ９０４、ＰＤチャネル１部分Ｃ  ９０６、ＰＤチャネル１部分Ｄ  ９０８、．．．、ＰＤチャネル１部分Ａ
９１０、ＰＤチャネル１部分Ｂ  ９１２、ＰＤチャネル１部分Ｃ  ９１４、ＰＤチャネル１部分Ｄ  ９１６）を含む。ピア発見チャネル２は、複数のピア発見チャネル２部分（ＰＤチャネル２部分Ａ  ９１８、ＰＤチャネル２部分Ｂ  ９２０、ＰＤチャネル２部分Ｃ
９２２、ＰＤチャネル２部分Ｄ  ９２４、．．．、ＰＤチャネル２部分Ａ  ９２６、ＰＤチャネル２部分Ｂ  ９２８、ＰＤチャネル２部分Ｃ  ９３０、ＰＤチャネル２部分Ｄ  ９３２）を含む。ピア発見チャネル１４は、複数のピア発見チャネル１４部分（ＰＤチャネル１４部分Ａ  ９３４、ＰＤチャネル１４部分Ｂ  ９３６、ＰＤチャネル１４部分Ｃ  ９３８、ＰＤチャネル１４部分Ｄ  ９４０、．．．、ＰＤチャネル１４部分Ａ  ９４２、ＰＤチャネル１４部分Ｂ  ９４４、ＰＤチャネル１４部分Ｃ  ９４６、ＰＤチャネル１４部分Ｄ  ９４８）を含む。
【００４８】
図９のピア発見チャネル部分のそれぞれは、ピア発見リソースセットに対応させることができる。例えば、図９のピア発見チャネル部分（ＰＤチャネル１部分Ａ  ９０２、ＰＤチャネル１部分Ｂ  ９０４、ピア発見チャネル１部分Ｄ  ９１６、ピア発見チャネル２部分Ａ  ９１８、ピア発見チャネル２部分Ｂ  ９２０、ピア発見チャネル２部分Ｄ  ９３２、ピア発見チャネル１４部分Ａ  ９３４、ピア発見チャネル１４部分Ｂ  ９３６、ピア発見チャネル１４部分Ｄ  ９４８）は、図７の（ピア発見リソースセット１  ７０２、ピア発見リソースセット１  ７３２、ピア発見リソースセット１  ７６２、ピア発見リソースセット２  ７０４、ピア発見リソースセット２  ７３４、ピア発見リソースセット２  ７６４、ピア発見リソースセット１４  ７２８、ピア発見リソースセット１４  ７５８、ピア発見リソースセット１４  ７８８）に対応させることができる。
【００４９】
様々な実施形態では、ワイヤレス通信デバイスは、繰り返し発生する一連の時間周波数リソースユニット、例えば、ピア発見時間周波数リソースユニットを監視し、輻輳のレベルを決定する。輻輳のレベルを決定することは、いくつかの実施形態では、ピア発見リソース無線リンクリソース内の全体的輻輳を決定することと、ピア発見無線リンクリソース空間の個別チャネル上の輻輳のレベルを決定することとを含む。ワイヤレス端末は、決定されたチャネル輻輳のレベル情報に応じて自身の送信目的で使用するためにピア発見通信チャネルの部分を決定する。ワイヤレス通信デバイスは、全ピア発見チャネルを使用することを、時には決定する可能性がある。別な場合には、ワイヤレス通信デバイスは、ピア発見通信チャネルの、１未満、例えば、１／４または１／２である、分数部分（a fraction portion of）を使用すると決定する可能性がある。ワイヤレス通信デバイスは、通信デバイスにより占有され送信に使用されているピア発見通信チャネルの分数部分（the fraction of the peer discovery communications channel）を表示している制御情報をブロードキャストする。
【００５０】
いくつかの実施形態では、制御情報は、パイロット信号、例えば、ワイヤレス通信デバイスがピア発見データもまた伝達するピア発見チャネル部分を使用して伝達される複数の別のパイロットシーケンスの１つを使用してブロードキャストされる。例示的ピア発見データは、例えば、デバイス識別子、ユーザ識別子、グループ識別子、デバイスまたはユーザに対するリクエスト、サービスに対するリクエスト、製品に対するリクエスト、情報に対するリクエスト、サービスの提供、製品の提供、位置情報などを含む。
【００５１】
図１０は、例示的ピア発見リソースセットｉ  １００２を示す図１０００である。例示的ピア発見リソースセットｉ  １００２は、図７に示された任意のピア発見リソースセットまたは図９に示された任意のピア発見チャネル部分であり得る。ピア発見リソースセットｉ  １００２は、Ｋ個のＯＦＤＭシンボルの送信時間１００６の持続時間に対して１個のトーン１００４を含む。例示的ピア発見リソースセットｉ  １００２は、Ｋ個のＯＦＤＭトーンシンボル（ＯＦＤＭトーンシンボル１  １００８、ＯＦＤＭトーンシンボル２  １０１０、ＯＦＤＭトーンシンボル３  １０１２、ＯＦＤＭトーンシンボル４  １０１４、ＯＦＤＭトーンシンボル５  １０１６、ＯＦＤＭトーンシンボル６  １０１８、．．．、ＯＦＤＭトーンシンボルＫ  １０２０）として表され得る。いくつかの実施形態では、Ｋは、８以上の整数である。ある例示的実施形態では、Ｋ＝１６であり、ピア発見リソースセット内に１６個のＯＦＤＭトーンシンボルがある。別な例示的実施形態では、Ｋ＝６４であり、ピア発見リソースセット内に６４個のＯＦＤＭトーンシンボルがある。いくつかの実施形態では、Ｋ個のトーンシンボルのＫPは、パイロットトーンシンボルであり、ここで、Ｋ／ＫP＞４である。いくつかの実施形態では、Ｋ＝６４ＫP＝８である。いくつかの実施形態では、Ｋ個のトーンシンボルの全セットが、同一のトーンに対応する。
【００５２】
図１１は、パイロットおよびデータシンボルを搬送するために使用される例示的ピア発見リソースセット１１０２を示す図１１００である。ピア発見リソースセット１１０２は、例えば、図１０のピア発見リソースセット１００２であり、ここでは、Ｋ＝１６ＫP＝４である。例示的ピア発見リソースセット１１０２は、１６個の索引付けされたＯＦＤＭトーンシンボル（トーンシンボル１  １１０４、トーンシンボル２  １１０６、トーンシンボル３  １１０８、トーンシンボル４  １１１０、トーンシンボル５  １１１２、トーンシンボル６  １１１４、トーンシンボル７  １１１６、トーンシンボル８  １１１８、トーンシンボル９  １１２０、トーンシンボル１０  １１２２、トーンシンボル１１  １１２４、トーンシンボル１２  １１２６、トーンシンボル１３  １１２８、トーンシンボル１４  １１３０、トーンシンボル１５  １１３２およびトーンシンボル１６  １１３４）を含む。
【００５３】
凡例１１３６の枠１１３８により示されるような、斜め線の網掛けは、ピア発見リソースセットのＯＦＤＭトーンシンボルが、パイロットシンボルを搬送するために使用されることを示す。凡例１１３６の枠１１４０に示されるような、横線の網掛けは、ピア発見リソースセットのＯＦＤＭトーンシンボルが、データシンボルを搬送するために使用されることを示す。この例では、トーンシンボルの第１のサブセット（１１０６、１１１４、１１２２および１１３０）は、パイロットシンボルを搬送するために使用されることを指定されると共に、トーンシンボルの第２の重複していないサブセット（１１０４、１１０８、１１１０、１１１２、１１１６、１１１８、１１２０、１１２４、１１２６、１１２８、１１３２、１１３４）はデータシンボルを搬送するために使用される。この例では、パイロットに指定されたトーンシンボル間の間隔は、一定であり、複数のデータシンボルに指定されたトーンシンボルがパイロットに指定されたトーンシンボル間の隙間を占めている。いくつかの実施形態では、パイロットに指定されたトーンシンボル間の間隔は、実質的に一定である。いくつかの実施形態では、パイロットシンボルを搬送するように指定されたトーンシンボルは、データシンボルを搬送するように指定されたトーンシンボルに一時的に先行する。いくつかの実施形態では、ピア発見リソースセットの第１および最後のトーンシンボルは、パイロットシンボルを搬送するように指定される。
【００５４】
図１１の例では、トーンシンボル（１１０６、１１１４、１１２２および１１３０）は、パイロットシンボル（Ｐ１  １１４４、Ｐ２  １１５２、Ｐ３  １１６０およびＰ４  １１６８）をそれぞれ搬送する。図１１の例では、トーンシンボル（１１０４、１１０８、１１１０、１１１２、１１１６、１１１８、１１２０、１１２４、１１２６、１１２８、１１３２、１１３４）は、データシンボル（Ｄ１  １１４２、Ｄ２  １１４６、Ｄ３  １１４８、Ｄ４  １１５０、Ｄ５  １１５４、Ｄ６  １１５６、Ｄ７  １１５８、Ｄ８  １１６２、Ｄ９  １１６４、Ｄ１０  １１６６、Ｄ１１  １１７０、Ｄ１２  １１７２）をそれぞれ搬送する。
【００５５】
図１２は、例示的な別のパイロットシーケンスの表１２０２および２つのパイロットシンボルのセットを複素平面へマッピングすることを示すプロット１２０４を示す図１２００である。プロット１２０４は、実軸を表す横軸１２０６と、虚軸を表す縦軸１２０８とを含む。「＋」と指定されたパイロットシンボル１２１０は、位相角０度の実軸に添ってマッピングされると共に、「−」と指定されたパイロットシンボル１２１２は、位相角１８０度の実軸に添ってマッピングされる。「＋」パイロットシンボルの送信電力レベルは、「−」パイロットシンボルの送信電力レベルと同一である。
【００５６】
表１２０２は、パイロットシーケンス番号を表す第１列１２１４と、別のパイロットシーケンスのそれぞれに対してパイロットシンボル１を特定する第２の列１２１６と、別のパイロットシーケンスのそれぞれに対してパイロットシンボル２を特定する第３の列１２１８と、別のパイロットシーケンスのそれぞれに対してパイロットシンボル３を特定する第４の列１２２０と、別のパイロットシーケンスのそれぞれに対してパイロットシンボル４を特定する第５の列１２２２とを含む。第１の行１２２４は、パイロットシーケンス１がパターン＋、＋、＋、＋を伴うことを示す。第２の行１２２６は、パイロットシーケンス２がパターン＋、＋、−、−を伴うことを示す。第３の行１２２８は、パイロットシーケンス３がパターン＋、−、＋、−を伴うことを示す。第４の行１２３０は、パイロットシーケンス４がパターン＋、−、−、＋を伴うことを示す。
【００５７】
図１３は、例示的な別のパイロットシーケンスの表１３０２および４つのパイロットシンボルのセットを複素平面へマッピングすることを示すプロット１３０４を示す図１３００である。図１３の実施形態は、図１２の実施形態と別なものである。プロット１３０４は、実軸を表す横軸１３０６と、虚軸を表す縦軸１３０８とを含む。「ＰA」と指定されるパイロットシンボル１３１０は、位相角０度に対応した正の実軸に沿ってマッピングされる。「ＰB」と指定されるパイロットシンボル１３１２は、位相角９０度に対応した正の虚軸に沿ってマッピングされる。「ＰC」と指定されるパイロットシンボル１３１４は、位相角１８０度に対応した負の実軸に沿ってマッピングされる。「ＰD」と指定されるパイロットシンボル１３１６は、位相角２７０度に対応した負の虚軸に沿ってマッピングされる。パイロットシンボルＰA、ＰB、ＰCおよびＰDのそれぞれに対する送信電力レベルは、同一である。
【００５８】
表１３０２は、パイロットシーケンス番号を表す第１列１３１８と、シーケンスの第１のパイロットシンボルがどこに置かれているかを示すパイロットシーケンスに対するオフセットを特定する第２の列１３２０と、それぞれの別のパイロットシーケンスに対してパイロットシンボル１を特定する第３の列１３２２と、それぞれの別のパイロットシーケンスに対してパイロットシンボル２を特定する第４の列１３２４と、それぞれの別のパイロットシーケンスに対してパイロットシンボル３を特定する第５の列１３２６と、それぞれの別のパイロットシーケンスに対してパイロットシンボル４を特定する第６の列１３２８とを含む。第１の行１３３０は、パイロットシーケンス１が０ラジアンのオフセットに対応し、パターンＰA、ＰB、ＰC、ＰDを伴うことを示す。第２の行１１３２は、パイロットシーケンス２がπ／２ラジアンのオフセットに対応し、パターンＰB、ＰC、ＰD、ＰAを伴うことを示す。第３の行１３３４は、パイロットシーケンス３がπラジアンのオフセットに対応し、パターンＰC、ＰD、ＰA、ＰBを伴うことを示す。第４の行１３３６は、パイロットシーケンス４が３π／２ラジアンの位相回転に対応し、パターンＰD、ＰA、ＰB、ＰCを伴うことを示す。
【００５９】
図１２および１３は、４つのパイロットシーケンスおよびシーケンス当たり４つのパイロットがある例である。他の実施形態では、異なる数の別のパイロットシーケンスおよび／またはシーケンス当たり異なる数のパイロットが使用され得る。
【００６０】
図１４は、繰り返し発生するタイミング周波数構造における例示的ピア発見チャネル部分を示す例示的周波数対時間プロット１４００の図である。縦軸１４０１は、周波数、例えば、ＯＦＤＭトーンシンボルを表すと共に、横軸１４０３は、時間、例えば、ＯＦＤＭシンボル送信時間間隔を表す。この例では、１４個のピア発見通信チャネルおよびＭ個の探索間隔（探索間隔１  １４０５、探索間隔２  １４０７、．．．、探索間隔Ｍ  １４０９）がある。
【００６１】
図１４のプロット１４００は、さらに、どのピア発見チャネル部分が送信のためにどのデバイスによって使用されているか、およびどのパイロットシーケンスがこの例の個別のピア発見チャネル部分上で送信されているかを示す情報を含む、図９のプロット９００を表したものであり得る。
【００６２】
表１４５０は、この例示的実施形態では、送信される特定のパイロットシーケンスと使用されるピア発見チャネルリソース間に関係があること、およびどのピア発見チャネル部分が送信デバイスによって使用されるかを示している。列１４５２は、パイロットにより伝達されるべき情報を示し、また列１４５４は、パイロットシーケンス番号を示す。表１４５０は、ワイヤレス端末が全ピア発見チャネル（部分Ａ、Ｂ、ＣおよびＤ）を使用している場合、ワイヤレス端末がパイロットシーケンス１を送信することを示す。表１４５０はさらに、ワイヤレス端末が、ピア発見通信チャネルの１／２を使用し、第１の半分（部分Ａおよび部分Ｂ）を使用している場合、ワイヤレス端末が、パイロットシーケンス２を送信することを示す。表１４５０はまた、ワイヤレス端末がピア発見通信チャネルの１／２を使用し、第２の部分（部分Ｃおよび部分Ｄ）を使用している場合、ワイヤレス端末がパイロットシーケンス３を送信することを示す。
【００６３】
表１４５６は、ピア発見チャネル部分を使用すると決定した４つの例示的ワイヤレス端末を特定し、各ワイヤレス端末がピア発見パイロットおよびデータを送信しているチャネル部分を特定する。表１４５６は、ＷＴ１が、全ピア発見チャネル１を使用すると決定しており、従って、Ａ、Ｂ、ＣおよびＤチャネル１ピア発見部分上で送信することを特定する。表１４５０に従って、ワイヤレス端末１はパイロットシーケンス１を送信する。ブロック１４０２は、ピア発見チャネル１部分Ａ  ９０２が、パイロットシーケンス１を送信しているＷＴ１によって使用されていることを示す。ブロック１４０４は、ピア発見チャネル１部分Ｂ  ９０４が、パイロットシーケンス１を送信しているＷＴ１によって使用されていることを示す。ブロック１４０６は、ピア発見チャネル１部分Ｃ  ９０６が、パイロットシーケンス１を送信しているＷＴ１によって使用されていることを示す。ブロック１４０８は、ピア発見チャネル１部分Ｄ  ９０８が、パイロットシーケンス１を送信しているＷＴ１によって使用されていることを示す。ブロック１４１０は、ピア発見チャネル１部分Ａ  ９１０が、パイロットシーケンス１を送信しているＷＴ１によって使用されていることを示す。ブロック１４１２は、ピア発見チャネル１部分Ｂ  ９１２が、パイロットシーケンス１を送信しているＷＴ１によって使用されていることを示す。ブロック１４１４は、ピア発見チャネル１部分Ｃ  ９１４が、パイロットシーケンス１を送信しているＷＴ１によって使用されていることを示す。ブロック１４１６は、ピア発見チャネル１部分Ｄ  ９１６が、パイロットシーケンス１を送信しているＷＴ１によって使用されていることを示す。
【００６４】
表１４５６は、ＷＴ２が、ピア発見チャネル２の第２の１／２を使用すると決定しており、従って、ＣおよびＤのチャネル２ピア発見部分上で送信することを特定する。表１４５０に従って、ワイヤレス端末２はパイロットシーケンス３を送信する。ブロック１４２２は、ピア発見チャネル２の部分Ｃ  ９２２が、パイロットシーケンス３を送信しているＷＴ２によって使用されていることを示す。ブロック１４２４は、ピア発見チャネル２の部分Ｄ  ９２４が、パイロットシーケンス３を送信しているＷＴ２によって使用されていることを示す。ブロック１４３０は、ピア発見チャネル２の部分Ｃ  ９３０が、パイロットシーケンス３を送信しているＷＴ２によって使用されていることを示す。ブロック１４３２は、ピア発見チャネル２の部分Ｄ  ９３２が、パイロットシーケンス３を送信しているＷＴ２によって使用されていることを示す。
【００６５】
表１４５６はさらに、ＷＴ３が、ピア発見チャネル２の第１の１／２を使用すると決定しており、従って、ＡおよびＢのチャネル２ピア発見部分上で送信することを特定する。
【００６６】
表１４５０に従って、ワイヤレス端末３はパイロットシーケンス２を送信する。ブロック１４１８は、ピア発見チャネル２の部分Ａ  ９１８が、パイロットシーケンス２を送信しているＷＴ３によって使用されていることを示す。ブロック１４２０は、ピア発見チャネル２の部分Ｂ  ９２０が、パイロットシーケンス２を送信しているＷＴ３によって使用されていることを示す。ブロック１４２６は、ピア発見チャネル２の部分Ａ  ９２６が、パイロットシーケンス２を送信しているＷＴ３によって使用されていることを示す。ブロック１４２８は、ピア発見チャネル２の部分Ｂ  ９２８が、パイロットシーケンス２を送信しているＷＴ３によって使用されていることを示す。
【００６７】
表１４５６はまた、ＷＴ４が、ピア発見チャネル１４の第２の１／２を使用すると決定しており、従って、ＣおよびＤのチャネル１４ピア発見部分上で送信することを特定する。表１４５０に従って、ワイヤレス端末４はパイロットシーケンス３を送信する。ブロック１４３８は、ピア発見チャネル１４の部分Ｃ  ９３８が、パイロットシーケンス３を送信しているＷＴ４によって使用されていることを示す。ブロック１４４０は、ピア発見チャネル１４の部分Ｄ  ９４０が、パイロットシーケンス３を送信しているＷＴ４によって使用されていることを示す。ブロック１４４６は、ピア発見チャネル１４の部分Ｃ  ９４６が、パイロットシーケンス３を送信しているＷＴ４によって使用されていることを示す。ブロック１４４８は、ピア発見チャネル１４の部分Ｄ  ９４８が、パイロットシーケンス３を送信しているＷＴ４によって使用されていることを示す。ブロック（１４３４、１４３６、１４４２、１４４２）は、ピア発見チャネル１４の部分（９３４、９３６、９４２、９４４）それぞれが、現時点で使用されていないことを示す。
【００６８】
図１５は、繰り返し発生するタイミング周波数構造における例示的ピア発見チャネル部分を示す例示的周波数対時間プロット１５００を含む図である。縦軸１５０１は、周波数、例えば、ＯＦＤＭトーンシンボルを表すと共に、横軸１５０３は、時間、例えば、ＯＦＤＭシンボル送信時間間隔を表す。この例では、１４個のピア発見通信チャネルおよびＭ個の探索間隔（探索間隔１  １５０５、探索間隔２  １５０７、．．．、探索間隔Ｍ  １５０９）がある。
【００６９】
図１５のプロット１５００は、さらに、どのピア発見チャネル部分がどのデバイスにより送信に使用されているか、またどのパイロットシーケンスがこの例の個別のピア発見チャネル部分上で送信されているか、を示す情報を含む図９のプロット９００を表したものであり得る。
【００７０】
表１５５０は、この例示的実施形態では、送信される特定のパイロットシーケンスと使用されるピア発見チャネルリソース間に関係があり、どのピア発見チャネル部分が送信デバイスによって使用されるかを示している。図１５の表１５５０により説明される例示的実施形態は、図１４の表１４５０の例示的実施形態とは別なものである。列１５５２は、パイロットにより伝達されるべき情報を示し、また列１５５４は、パイロットシーケンス番号を示す。表１５５０は、ワイヤレス端末が、全ピア発見チャネル（部分Ａ、Ｂ、ＣおよびＤ）を使用している場合、ワイヤレス端末が、パイロットシーケンス１を送信することを示す。表１５５０はさらに、ワイヤレス端末が、ピア発見通信チャネルの３／４を使用し、部分Ａ、ＢおよびＣを使用している場合、ワイヤレス端末が、パイロットシーケンス２を送信することを示す。表１５５０はさらに、ワイヤレス端末が、ピア発見通信チャネルの１／２を使用し、第１の半分（部分Ａおよび部分Ｂ）または第２の半分（部分Ｃおよび部分Ｄ）いずれかを使用している場合、ワイヤレス端末が、パイロットシーケンス３を送信することを示す。表１４５０はさらに、ワイヤレス端末が、部分Ａ、部分Ｂ、部分Ｃおよび部分Ｄのいずれか１つであり得る、ピア発見通信チャネルの１／４を使用している場合、ワイヤレス端末が、パイロットシーケンス４を送信することを示す。
【００７１】
表１５５６は、ピア発見チャネル部分を使用すると決定した５つの例示的ワイヤレス端末を特定し、各ワイヤレス端末が、ピア発見パイロットおよびデータを送信しているチャネル部分を特定する。表１５５６は、ＷＴ１が、全ピア発見チャネル１を使用すると決定しており、従って、Ａ、Ｂ、ＣおよびＤのチャネル１ピア発見部分上で送信することを特定する。表１５５０に従って、ワイヤレス端末１はパイロットシーケンス１を送信する。
【００７２】
ブロック１５０２は、ピア発見チャネル１の部分Ａ  ９０２が、パイロットシーケンス１を送信しているＷＴ１によって使用されていることを示す。ブロック１５０４は、ピア発見チャネル１の部分Ｂ  ９０４が、パイロットシーケンス１を送信しているＷＴ１によって使用されていることを示す。ブロック１５０６は、ピア発見チャネル１の部分Ｃ  ９０６が、パイロットシーケンス１を送信しているＷＴ１によって使用されていることを示す。ブロック１５０８は、ピア発見チャネル１の部分Ｄ  ９０８が、パイロットシーケンス１を送信しているＷＴ１によって使用されていることを示す。ブロック１５１０は、ピア発見チャネル１の部分Ａ  ９１０が、パイロットシーケンス１を送信しているＷＴ１によって使用されていることを示す。ブロック１５１２は、ピア発見チャネル１の部分Ｂ  ９１２が、パイロットシーケンス１を送信しているＷＴ１によって使用されていることを示す。ブロック１５１４は、ピア発見チャネル１の部分Ｃ  ９１４が、パイロットシーケンス１を送信しているＷＴ１によって使用されていることを示す。ブロック１５１６は、ピア発見チャネル１の部分Ｄ  ９１６が、パイロットシーケンス１を送信しているＷＴ１によって使用されていることを示す。
【００７３】
表１５５６は、ＷＴ２が、ピア発見チャネル２の第２の３／４を使用すると決定しており、従って、Ａ、ＢおよびＣのチャネル２ピア発見部分上で送信することを特定する。表１５５０に従って、ワイヤレス端末２はパイロットシーケンス２を送信する。ブロック１５１８は、ピア発見チャネル２の部分Ａ  ９１８が、パイロットシーケンス２を送信しているＷＴ２によって使用されていることを示す。ブロック１５２０は、ピア発見チャネル２の部分Ｂ  ９２０が、パイロットシーケンス２を送信しているＷＴ２によって使用されていることを示す。ブロック１５２２は、ピア発見チャネル２の部分Ｃ  ９２２が、パイロットシーケンス２を送信しているＷＴ２によって使用されていることを示す。ブロック１５２６は、ピア発見チャネル２の部分Ａ  ９２６が、パイロットシーケンス２を送信しているＷＴ２によって使用されていることを示す。ブロック１５２８は、ピア発見チャネル２の部分Ｂ  ９２８が、パイロットシーケンス２を送信しているＷＴ２によって使用されていることを示す。ブロック１５３０は、ピア発見チャネル２の部分Ａ  ９３０が、パイロットシーケンス２を送信しているＷＴ２によって使用されていることを示す。
【００７４】
表１５５６はさらに、ＷＴ３が、ピア発見チャネル２の最後の１／４を使用すると決定しており、従って、チャネル２ピア発見Ｄ部分上で送信することを特定する。表１５５０に従って、ワイヤレス端末３はパイロットシーケンス４を送信する。ブロック１５２４は、ピア発見チャネル２の部分Ｄ  ９２４が、パイロットシーケンス４を送信しているＷＴ３によって使用されていることを示す。ブロック１５３２は、ピア発見チャネル２の部分Ｄ  ９３２が、パイロットシーケンス４を送信しているＷＴ３によって使用されていることを示す。
【００７５】
表１５５６はさらに、ＷＴ４が、ピア発見チャネル１４の第２の１／４を使用すると決定しており、従って、チャネル１４ピア発見Ｂ部分上で送信することを特定する。表１５５０に従って、ワイヤレス端末４はパイロットシーケンス４を送信する。ブロック１５３６は、ピア発見チャネル１４の部分Ｂ  ９３６が、パイロットシーケンス４を送信しているＷＴ４によって使用されていることを示す。ブロック１５４４は、ピア発見チャネル１４の部分Ｂ  ９４４が、パイロットシーケンス４を送信しているＷＴ４によって使用されていることを示す。
【００７６】
表１５５６はさらに、ＷＴ５が、ピア発見チャネル１４の第２の半分を使用すると決定しており、従って、ＣおよびＤのチャネル１４ピア発見部分上で送信することを特定する。表１５５０に従って、ワイヤレス端末５はパイロットシーケンス３を送信する。ブロック１５３８は、ピア発見チャネル１４の部分Ｃ  ９３８が、パイロットシーケンス３を送信しているＷＴ５によって使用されていることを示す。ブロック１５４０は、ピア発見チャネル１４の部分Ｄ  ９４０が、パイロットシーケンス３を送信しているＷＴ５によって使用されていることを示す。ブロック１５４６は、ピア発見チャネル１４の部分Ｃ  ９４６が、パイロットシーケンス３を送信しているＷＴ５によって使用されていることを示す。ブロック１５４８は、ピア発見チャネル１４の部分Ｄ  ９４８が、パイロットシーケンス３を送信しているＷＴ５によって使用されていることを示す。ブロック（１５３４、１５４２）は、ピア発見チャネル１４の部分（９３４、９４２）それぞれが現時点で使用されていないことを示す。
【００７７】
例えば、例示的な表１４５２および１５５２中に示されるようなチャネルの使用部分および／またはどの特定の部分が使用されているかおよび／または分数のチャネル使用情報（fraction channel usage information）を伝達する符号化された情報は、デバイス監視の効率的な動作に関して有利となり得ることが理解されよう。受信デバイスは、チャネルの状態を決定するためにチャネルの各ピア発見部分を監視する必要がないし、いくつかの実施形態では監視しない。例えば、図１５の例に関して、デバイスは、チャネルのいずれか１つの部分内のパイロットシーケンス１を検出することから全体のチャネルが既に用いられていることを確認することができる。別の例としては、受信デバイスは、部分Ａ、部分Ｂまたは部分Ｃのいずれか１つ上でパイロットシーケンス２を検出することにより、チャネルの部分Ａ、ＢおよびＣが既に用いられていることを判断することができる。
【００７８】
図１６は、繰り返し発生するタイミング周波数構造における例示的ピア発見チャネル部分を示す例示的周波数対時間プロット１６００を含む図である。縦軸１６０１は、周波数、例えば、ＯＦＤＭトーンシンボルを表すと共に、横軸１６０３は、時間、例えば、ＯＦＤＭシンボル送信時間間隔を表す。この例では、１４個のピア発見通信チャネルおよびＭ個の探索間隔（探索間隔１  １６０５、探索間隔２  １６０７、．．．、探索間隔Ｍ  １６０９）がある。
【００７９】
図１６のプロット１６００は、さらに、どのピア発見チャネル部分がどのデバイスにより送信に使用されているか、およびどのパイロットシーケンスがこの例の個別のピア発見チャネル部分上で送信されているか、を示す情報を含む、図９のプロット９００を表したものであり得る。
【００８０】
表１６５０は、ピア発見信号を送信することに関してワイヤレス端末が利用可能である様々なチャネル利用の選択肢を示す。ワイヤレス端末は、全ピア発見チャネルを使用すると決定することができ、その場合、チャネルのＡ、Ｂ、ＣおよびＤ部分のそれぞれを使用する。ワイヤレス端末は、チャネルの３／４を使用すると決定することができ、その場合、チャネルのＡ、Ｂ、ＣおよびＤ部分の内の３つを使用する。ワイヤレス端末は、チャネルの１／２を使用すると決定することができ、その場合、チャネルのＡ、Ｂ、ＣおよびＤ部分の内の２つを使用する。ワイヤレス端末は、チャネルの１／４を使用すると決定することができ、その場合、チャネルのＡ、Ｂ、ＣおよびＤ部分の内の１つを使用する。
【００８１】
この例示的実施形態では、チャネルを使用すると決定したワイヤレス端末は、監視することで、どのパイロットシーケンスが既に他のデバイスによりチャネルに送信されているか、およびどのパイロットシーケンスがチャネルに関して現時点で使用されていないかを決定する。次いで、ワイヤレス端末は、例えば、擬似的にランダムに、未使用のパイロットシーケンスの間から自身が送信に使用するためのパイロットシーケンスを選択する。
【００８２】
表１６５２は、ピア発見チャネル部分を使用すると決定した４つの例示的ワイヤレス端末を特定し、各ワイヤレス端末が、ピア発見パイロットおよびデータを送信しているチャネル部分を特定する。表１６５２は、ＷＴ１が、全ピア発見チャネル１を使用すると決定しており、従って、Ａ、Ｂ、Ｃ、およびＤチャネル１ピア発見部分上で送信することを特定する。この例では、ＷＴ１はパイロットシーケンス１を使用することを選択している。
【００８３】
ブロック１６０２は、ピア発見チャネル１の部分Ａ  ９０２が、パイロットシーケンス１を送信しているＷＴ１によって使用されていることを示す。ブロック１６０４は、ピア発見チャネル１の部分Ｂ  ９０４が、パイロットシーケンス１を送信しているＷＴ１によって使用されていることを示す。ブロック１６０６は、ピア発見チャネル１の部分Ｃ  ９０６が、パイロットシーケンス１を送信しているＷＴ１によって使用されていることを示す。ブロック１６０８は、ピア発見チャネル１の部分Ｄ  ９０８が、パイロットシーケンス１を送信しているＷＴ１によって使用されていることを示す。ブロック１６１０は、ピア発見チャネル１の部分Ａ  ９１０が、パイロットシーケンス１を送信しているＷＴ１によって使用されていることを示す。ブロック１６１２は、ピア発見チャネル１の部分Ｂ  ９１２が、パイロットシーケンス１を送信しているＷＴ１によって使用されていることを示す。ブロック１６１４は、ピア発見チャネル１の部分Ｃ  ９１４が、パイロットシーケンス１を送信しているＷＴ１によって使用されていることを示す。ブロック１６１６は、ピア発見チャネル１の部分Ｄ  ９１６が、パイロットシーケンス１を送信しているＷＴ１によって使用されていることを示す。
【００８４】
表１６５２は、ＷＴ２が、ピア発見チャネル２の１／２を使用すると決定しており、ＣおよびＤのチャネル２ピア発見部分上で送信することを特定する。この例では、ＷＴ２はパイロットシーケンス２を使用することを選択している。ブロック１６２２は、ピア発見チャネル２の部分Ｃ  ９２２が、パイロットシーケンス２を送信しているＷＴ２によって使用されていることを示す。ブロック１６２４は、ピア発見チャネル２の部分Ｄ  ９２４が、パイロットシーケンス２を送信しているＷＴ２によって使用されていることを示す。
【００８５】
ブロック１６３０は、ピア発見チャネル２の部分Ｃ  ９３０が、パイロットシーケンス２を送信しているＷＴ２によって使用されていることを示す。ブロック１６３２は、ピア発見チャネル２の部分Ｄ  ９３２が、パイロットシーケンス２を送信しているＷＴ２によって使用されていることを示す。
【００８６】
表１６５２はさらに、ＷＴ３が、ピア発見チャネル２の１／２を使用すると決定しており、ＡおよびＢのチャネル２ピア発見部分上で送信することを特定する。この例では、ワイヤレス端末３はパイロットシーケン１を送信することを選択している。ブロック１６１８は、ピア発見チャネル２の部分Ａ  ９１８が、パイロットシーケンス１を送信しているＷＴ３によって使用されていることを示す。ブロック１６２０は、ピア発見チャネル２の部分Ｂ  ９２０が、パイロットシーケンス１を送信しているＷＴ３によって使用されていることを示す。ブロック１６２６は、ピア発見チャネル２の部分Ａ  ９２６が、パイロットシーケンス１を送信しているＷＴ３によって使用されていることを示す。ブロック１６２８は、ピア発見チャネル２の部分Ｂ  ９２８が、パイロットシーケンス１を送信しているＷＴ３によって使用されていることを示す。
【００８７】
表１６５２はまた、ＷＴ４が、ピア発見チャネル１４の１／４を使用すると決定しており、チャネル１４ピア発見Ｃ部分上で送信することを特定する。ワイヤレス端末４はパイロットシーケンス３を送信することを選択している。ブロック１６３８は、ピア発見チャネル１４の部分Ｃ  ９３８が、パイロットシーケンス３を送信しているＷＴ４によって使用されていることを示す。ブロック１６４６は、ピア発見チャネル１４の部分Ｃ  ９４６が、パイロットシーケンス３を送信しているＷＴ４によって使用されていることを示す。
【００８８】
表１６５２はさらに、ＷＴ５が、ピア発見チャネル１４の１／４を使用すると決定しており、チャネル１４ピア発見Ａ部分上で送信することを特定する。ワイヤレス端末５はパイロットシーケンス１を送信することを選択している。ブロック１６３４は、ピア発見チャネル１４の部分Ａ  ９３４が、パイロットシーケンス１を送信しているＷＴ５によって使用されていることを示す。ブロック１６４２は、ピア発見チャネル１４の部分Ａ  ９４２が、パイロットシーケンス１を送信しているＷＴ５によって使用されていることを示す。
【００８９】
表１６５２はまた、ＷＴ６が、ピア発見チャネル１４の１／４を使用すると決定しており、チャネル１４ピア発見Ｂ部分上で送信することを特定する。ワイヤレス端末６はパイロットシーケンス２を送信することを選択している。ブロック１６３６は、ピア発見チャネル１４の部分Ｂ  ９３６が、パイロットシーケンス２を送信しているＷＴ６によって使用されていることを示す。ブロック１６４４は、ピア発見チャネル１４の部分Ｂ  ９４４が、パイロットシーケンス２を送信しているＷＴ６によって使用されていることを示す。
【００９０】
表１６５２はまた、ＷＴ７が、ピア発見チャネル１４の１／４を使用すると決定しており、チャネル１４ピア発見Ｄ部分上で送信することを特定する。ワイヤレス端末７はパイロットシーケンス４を送信することを選択している。ブロック１６４０は、ピア発見チャネル１４の部分Ｄ  ９４０が、パイロットシーケンス４を送信しているＷＴ７によって使用されていることを示す。ブロック１６４８は、ピア発見チャネル１４の部分Ｄ  ９４８が、パイロットシーケンス４を送信しているＷＴ７によって使用されていることを示す。
【００９１】
様々な機能がピア識別通信リソースを使用してピア識別子の通信と関連して使用されるある特定の例示的実施形態をここで説明する。ある特定の例示的実施形態では、デバイス、例えば、ワイヤレス端末がネットワークに参加した後、デバイスは、ピアＩＤを伝達するために使用し、ネットワークの輻輳レベルを感知する繰り返し発生する時間の間無通信のままとなることがある。複数のワイヤレス端末が、１組のピアＩＤリソースに対応した同一のピアＩＤリソース、例えば、ピアＩＤチャネルを共有している場合、これらは無通信のままとされ、異なる時間の輻輳を監視する。例えば、Ｗａｌｓｈシーケンスがパイロット位相コードブックとして使用される場合を考えてみる。この場合、デバイスは、検出された特定のピアＩＤチャネルに対応したリソース上のＷａｌｓｈシーケンスに基づいて、高速アダマール変換（ＦＴＨ）を実行し、他のデバイスによる同一のピアＩＤリソース、例えばチャネルの使用数を、パイロットシーケンスに基づいて検査することができ、いくつかの実施形態では検査している。検出可能なデバイスの数単独または異なるパイロットシーケンスに対応して検出された信号強度との組み合わせは、ネットワークの輻輳レベルの測定値、例えば、同一のリソースまたは１組のリソースを共有しようとしているデバイスの数を与えるために使用され得る。
【００９２】
ネットワークの輻輳レベルが決定された後、デバイスはここで、デバイスが、ネットワークの輻輳レベルを緩和することに専念すべきであり、例えば、自身のピアＩＤリソースまたはチャネル内で送信する周期を選択することができる、リソース利用率に関して、バックオフのレベルを決定することができる。より短い周期は、より低いレベルのネットワーク輻輳が検出された場合よりも高いレベルのネットワーク輻輳の場合に選択され得る。
【００９３】
ネットワークが輻輳していない、すなわち、同一のピアＩＤリソースを再使用する他のデバイスが存在しない場合、デバイスは、それぞれの利用可能なピアＩＤ送信期間の間送信し続けることができる。一方、ネットワークが輻輳している場合、デバイスは、ピアＩＤ送信間隔の数分の一の間に（during a fraction of the peer ID transmission intervals）送信することを選択することができる。１つの方法は、輻輳を検知した場合、デバイスをランダムにバックオフさせることである。局所的に直交パイロット位相（orthogonal pilot phases）が利用可能であっても、デバイスは、そのパイロット位相に基づいて送信するために数分の一（a fraction）を選択することによりこれをより良く行うことができる。パイロット位相は、局所的に一意であり得ることから、各デバイスは、同一のピアＩＤリソースを共有している他のデバイスの選択と局所的に直交している数分の一を取り出すことができる。さらに、デバイスが送信する数分の一は、ネットワークの輻輳レベルに基づいて得る、すなわち、ネットワークが、高密度となる場合、デバイスは、特定のピアＩＤリソース内で使用するピアＩＤ間隔のより小さな数分の一の間送信する。
【００９４】
ここで、より具体的な例を見てみる。８つのパイロット位相がネットワーク内で利用可能であること、およびデバイスがネットワークに参加する場合、局所的に直交するようなパイロット位相を獲得し維持することを仮定する。デバイスが、同一のピアＩＤリソースを使用している２つのデバイスがあることを検知した場合、このデバイスは、自身の送信の数分の一を１／２に削減する（reduces the fraction of its transmission to 1/2）。いくつかの実施形態では、どの１／２を送信するかは、そのパイロット位相に依存し得る、すなわち、１から４の間のパイロット位相索引を持つデバイスは、偶数のスロット上で送信し、また５から８の間のパイロット位相索引を持つデバイスは、奇数のスロット上で送信する。一方、ユーザが、同一のピアＩＤリソース内に２人より多いが４人より多くないユーザがいることを感知する場合、時間スロットの１／４しか送信できない、など以下同様である。同様に、同一のピアＩＤリソース内に４人を超えるユーザが実際にいる場合には、デバイスは、デバイスが送信する時間スロットがそのパイロット位相により決定される、時間スロットの１／８を選択することができる。
【００９５】
多数の他の変形もまた可能であることもまた理解されよう。
【００９６】
様々な例示的方法および装置は、通信ネットワーク内で使用するために、チャネル、例えば、ピア発見チャネルの一部を決定することに関する。様々な例示的方法および装置は、アドホックピアツウピアネットワーク、例えば、ワイヤレス端末が中央ネットワーク制御装置の介在なしに相互に直接通信するネットワーク内での使用によく適している。通信ネットワークでは、チャネルは、繰り返し発生する一連の時間／周波数リソースを含み、ピア発見をサポートするために利用可能な複数のこのようなチャネルがある。ピア発見情報をブロードキャストしようとする各デバイスは、自身のピア発見情報をブロードキャストするために使用するピア発見チャネルの１つを選び、複数のデバイスが、同一のチャネルを選択し衝突を引き起こすおそれがあり得る。この場合、いくつかのデバイスは、前記衝突に起因して前記通信チャネル上で伝達される情報を復号化することができないおそれがある。デバイスは、ネットワークの輻輳レベルを監視し、輻輳レベルに応じて全ての選択されたチャネル（the whole picked channel）または選択されたチャネルの分数部分（例えば、１／２、１／４）を使用すると決定する。デバイスは、輻輳レベルの変化により占有するチャネルの量を変更することができ、また実際に変更することがある。デバイスは、自身が占有するチャネルの部分、例えば、全チャネル（full channel）または分数のチャネル部分（fractional channel portion(s)）を示す制御情報をブロードキャストする。
【００９７】
ある例示的実施形態では、繰り返し発生するタイミング構造中に複数のピア発見チャネルがある。ワイヤレス通信デバイスは、少なくともピア発見チャネルの一部を監視し、輻輳のレベルを決定する。いくつかの実施形態では、前記通信デバイスは、自身のピア発見情報を送信するために時々使用しているピア発見チャネルを監視し、そのチャネル内で復号化された信号数に基づいて輻輳レベルを決定する。いくつかの実施形態では、前記通信デバイスは、ピア発見チャネルのそれぞれを監視し、チャネルの総占有率に基づいて輻輳レベルを決定する。決定された輻輳のレベルに基づいて、ワイヤレス通信デバイスは、意図したピア発見送信のために全ピア発見チャネルを、または意図するピア発見送信のためにピア発見チャネルの分数を使用するかを決定する。デバイスは、どのピア発見チャネル部分を送信に使用しているかを示す制御情報をブロードキャストする。さらに衝突、すなわち、２つのデバイスが、同一のピア発見チャネルの分数をたまたま重複して選択する回数を削減するために、ワイヤレス通信デバイスは、いくつかの実施形態では、同一のピア発見チャネルを共用する他のデバイスから受信した制御情報に基づいてどの分数部分を使用することができるかを決定する。例えば、いくつかの実施形態では、デバイスは、同一のピア発見チャネル内で奇数スロットのそれぞれを使用して送信している別のデバイスがあることを検出した場合、繰り返し発生するピア発見チャネルの偶数スロットのそれぞれを使用することを選択することができる。いくつかの実施形態では、制御情報は、パイロット信号により符号化され、例えば、異なるパイロットシンボルシーケンスは、異なるレベルのチャネル使用を伝達し、および／またはチャネルのどの特定の部分がデバイスによって使用されているかを伝達する。いくつかの実施形態では、制御情報は、ピア発見情報に比べてより強固であり、制御情報は、ピア発見情報が復号化可能でない場合にも、いくつかの衝突のシナリオの中で復号化可能である。ワイヤレス通信デバイスは、輻輳のレベルの検出された変化に応答して、および／または同一のピア発見チャネルを共用するデバイスからの検出された分数の使用情報（detected fraction usage information）に応答して、ピア発見チャネル使用の量および／または分数を変更することができ、また実際に変更することがある。
【００９８】
輻輳変化に応答したピア発見リソース使用の動的調整は、ピア発見チャネル内での衝突の回数を削減し、従って、全体的なシステム処理能力を改善することから、限定されたピア発見無線リンクリソースの効率的使用を促進することができる。いくつかの実施形態では、ワイヤレス通信デバイスは、ワイヤレス端末である。ワイヤレス端末は、例えば、モバイルデバイス、例えば電話用デバイス、携帯情報端末（ＰＤＡ）などの携帯デバイスであり得る。ワイヤレス端末は、アクセス端末であり得る。
【００９９】
様々な実施形態の技術は、ソフトウェア、ハードウェアおよび／またはソフトウェアとハードウェアの組み合わせを使用して実装され得る。様々な実施形態は、装置、例えば、モバイル端末などのモバイルノード、基地局、通信システムを対象としている。様々な実施形態はまた、方法、例えば、モバイルノード、基地局および／または通信システム、例えばホストの制御および／または動作の方法を対象としている。様々な実施形態はまた、方法の１つまたは複数のステップを実装するために機械を制御するための機械読み取り可能な命令を含む、機械、例えば、コンピュータ読み取り可能な媒体、例えば、ＲＯＭ、ＲＡＭ、ＣＤ、ハードディスクなどを対象としている。
【０１００】
開示された処理ステップの特定の順序または階層が例示的取り組みの例であることが理解されよう。設計上の選択に基づいて、処理ステップの特定の順序または階層が、再配置され得たとしても、本開示の範囲内に留まることが理解されよう。添付の方法クレームは、例示的な順序で様々なステップの要素を表しており、表されている特定の順序または階層に限定されることを意味するものではない。
【０１０１】
様々な実施形態では、本明細書に記載されているノードは、１つまたは複数の方法に対応したステップ、例えば、信号処理、メッセージ生成および／または送信ステップを遂行するために１つまたは複数のモジュールを使用して実装される。従って、いくつかの実施形態では、様々な機能は、モジュールを使用して実装される。このようなモジュールは、ソフトウェア、ハードウェアまたはソフトウェアとハードウェアの組み合わせを使用して実装され得る。多くの上記の方法または方法のステップは、上記の方法の全てまたは一部を、例えば、１つまたは複数のノード内に実装するための、機械、例えば、追加的ハードウェアを有するまたは有しない汎用目的コンピュータを制御するために、メモリデバイス、例えば、ＲＡＭ、フロッピー（登録商標）ディスクなどのような機械読み取り可能な媒体中に含まれる、ソフトウェアなどの、機械実行可能な命令を使用して実装され得る。従って、特に、様々な実施形態は、機械、例えば、処理装置および関連したハードウェアに上記方法のステップの１つまたは複数を実行させるための、機械実行可能な命令を含む機械読み取り可能な媒体を対象としている。いくつかの実施形態では、本発明の１つまたは複数の方法のステップの１つ、複数または全てを実装するように構成された処理装置を含む、デバイス、例えば、通信ノードを対象としている。
【０１０２】
いくつかの実施形態では、１つまたは複数のデバイス、例えば、アクセスノードなどの通信ノードおよび／またはワイヤレス端末の処理装置または処理装置群、例えば、ＣＰＵは、通信ノードにより遂行されるように記載されている方法のステップを遂行するように構成される。処理装置の構成は、処理装置の構成を制御するために、１つまたは複数のモジュール、例えば、ソフトウェアモジュールを使用することにより、および／または、列挙されたステップを遂行する、および／または処理装置構成を制御するために、処理装置内のハードウェア、例えば、ハードウェアモジュールを具備することにより、達成され得る。従って、いくつかの、しかし全てではない、実施形態は、処理装置が含まれているデバイスにより遂行される様々な記載された方法のステップのそれぞれに対応したモジュールを含む処理装置を有するデバイス、例えば、通信ノードを対象にしている。いくつかのしかし全てではない実施形態では、デバイス、例えば、通信ノードは、処理装置が含まれているデバイスにより遂行される様々な記載された方法のステップのそれぞれに対応したモジュールを含む。モジュールは、ソフトウェアおよび／またはハードウェアを使用して実装され得る。
【０１０３】
いくつかの実施形態は、コンピュータまたは複数のコンピュータに様々な機能、ステップ、活動および／または動作、例えば、上記の１つまたは複数のステップを実装するために、コードを備えるコンピュータ読み取り可能な媒体を備えるコンピュータプログラム製品を対象としている。実施形態に応じて、コンピュータプログラム製品は、実行されるべき各ステップに対する異なるコードを含むことができ、また実際に含むことがある。従って、コンピュータプログラム製品は、方法、例えば、通信デバイスまたはノードを制御する方法、の各個別のステップに対するコードを含むことができ、また実際に含むことがある。コードは、ＲＡＭ（ランダムアクセスメモリ）、ＲＯＭ（リードオンリーメモリ）または他の形式の記憶デバイスなどのコンピュータ読み取り可能な媒体上に記憶された、機械、例えば、コンピュータ実行可能な命令の形であり得る。コンピュータプログラム製品を対象としていることに加えて、いくつかの実施形態は、上記の１つまたは複数の方法の様々な機能、ステップ、活動および／または動作の１つまたは複数を実装するように構成された処理装置を対象にしている。従って、いくつかの実施形態は、本明細書に記載された方法のいくつかまたは全てのステップを実装するように構成された処理装置、例えば、ＣＰＵを対象にしている。処理装置は、本願に記載されている、例えば、通信デバイスまたは他のデバイス中で使用するためであり得る。
【０１０４】
ＯＦＤＭシステムの文脈の中で説明されているが、様々な実施形態の方法および装置の少なくともいくつかは、多くのＯＦＤＭ以外のおよび／または携帯電話システム以外を含む幅広い範囲の通信システムに適用可能である。
【０１０５】
上記の様々な実施形態の方法および装置についてのさらに多数の変形が、上記説明を考慮して当業者には明らかとなろう。このような変形は、本範囲内にあると考えられるべきである。方法および装置は、ＣＤＭＡ、直交周波数分割多重（ＯＦＤＭ）および／または通信デバイス間のワイヤレス通信リンクを提供するために使用され得る様々な他の種別の通信技術を使用され得て、様々な実施形態で使用される。いくつかの実施形態では、１つまたは複数の通信デバイスは、ＯＦＤＭおよび／またはＣＤＭＡを使用してモバイルノードとの通信リンクを確立する、および／または、有線またはワイヤレス通信リンクによりインターネットまたは別のネットワークとの接続性を提供することができるアクセスポイントとして実装される。様々な実施形態では、モバイルノードは、方法を実装するための、受信機／送信機回路ならびに論理および／またはルーチンを含むノートブックコンピュータ、携帯情報端末（ＰＤＡ）または他の携帯デバイスとして実装される。
以下に、本願出願の当初の特許請求の範囲に記載された発明を付記する。
［Ｃ１］  通信デバイスを動作させる方法であって、
輻輳のレベルを決定するために、繰り返し発生する一連の時間および周波数リソースユニットを監視することと、
前記決定された輻輳のレベルに基づいて送信目的で前記通信デバイスによって使用されるべき通信チャネルの一部分を決定することと
を備える、方法。
［Ｃ２］  前記通信チャネルの前記一部分が前記通信チャネルの分数であり、前記方法がさらに、
前記通信デバイスにより占有されている、前記チャネルの前記分数を示す制御情報をブロードキャストすることを備え、
前記分数が前記通信デバイスによって使用されるべき前記通信チャネルの前記決定された部分に対応する、
Ｃ１に記載の方法。
［Ｃ３］  前記ブロードキャスト制御情報が、繰り返し発生するチャネルタイミング構造内の複数の繰り返し発生するチャネル部分のどれを前記デバイスが使用しているかを示す、Ｃ１に記載の方法。
［Ｃ４］  繰り返し発生する一連の時間および周波数リソースユニットを監視することが、
周期的に前記通信チャネルを監視することと、
第２のワイヤレス通信デバイスからのブロードキャスト制御情報を復号化することと
を含み、
使用されるべき通信チャネルの部分を決定することが、
前記第２の通信デバイスからの前記ブロードキャスト制御情報に基づいて使用されるべき前記通信チャネルの前記部分を決定すること
を含む、Ｃ２に記載の方法。
［Ｃ５］  前記通信デバイスによって使用されると決定された前記通信チャネルの前記部分に基づいて決定される時間間隔において探索情報を送信すること
をさらに備える、Ｃ２に記載の方法。
［Ｃ６］  前記ネットワーク輻輳のレベルが、前記通信チャネルを使用しているとして検出されたデバイスの数の関数である、Ｃ１に記載の方法。
［Ｃ７］  前記監視、決定およびブロードキャストのステップを繰り返して、前記通信デバイスが、前記決定された輻輳のレベルの変化に応答して前記通信デバイスによって使用される前記チャネルの前記部分の前記大きさを変更すること
をさらに備える、Ｃ１に記載の方法。
［Ｃ８］  前記監視された繰り返し発生する一連の時間および周波数リソースユニットが、複数の異なる通信チャネルに対応し、前記通信デバイスによって使用される前記部分に対応する前記通信チャネルが、前記複数の異なる通信チャネルの１つである、Ｃ７に記載の方法。
［Ｃ９］  前記決定された輻輳のレベル内の前記変化が、前記通信デバイスではない他のデバイスによる前記監視された１組の通信リソース内の通信リソースの利用率の変化に起因している、Ｃ８に記載の方法。
［Ｃ１０］  前記決定された輻輳のレベル内の前記変化が、少なくとも部分的には、前記通信デバイスによって使用される前記部分に対応する前記通信チャネル以外の少なくとも１つのチャネルに対応した通信リソースの利用率における変化に起因する、Ｃ９に記載の方法。
［Ｃ１１］  輻輳のレベルを決定するために、繰り返し発生する一連の時間および周波数リソースユニットを監視するための手段と、
前記決定された輻輳のレベルに基づいて送信目的で前記通信デバイスによって使用されるべき通信チャネルの部分を決定するための手段と
を備える、通信デバイス。
［Ｃ１２］  前記通信チャネルの前記部分が、前記通信チャネルの分数であり、前記通信デバイスがさらに、
前記通信デバイスにより占有されている前記チャネルの、前記分数を表示している制御情報をブロードキャストするための手段を備え、
前記分数が前記通信デバイスによって使用されるべき前記通信チャネルの前記決定された部分に対応する、
Ｃ１１に記載の通信デバイス。
［Ｃ１３］  繰り返し発生する一連の時間および周波数リソースユニットを監視するための前記手段が、
周期的に前記通信チャネルを監視するための手段と、
第２のワイヤレス通信デバイスからのブロードキャスト制御情報を復号化するための手段と
を含み、
使用されるべき通信チャネルの部分を決定するための前記手段が、
前記第２の通信デバイスからの前記ブロードキャスト制御情報に基づいて使用されるべき前記通信チャネルの前記部分を決定するための手段
を含む、Ｃ１２に記載の通信デバイス。
［Ｃ１４］  前記通信デバイスによって使用されると決定された前記通信チャネルの前記部分に基づいて決定される時間間隔で探索情報を送信するための手段
をさらに備える、Ｃ１２に記載の通信デバイス。
［Ｃ１５］  前記通信デバイスによって使用されると決定された前記通信チャネルの前記部分が、前記通信チャネルを使用していることが検出されたデバイスの数の関数である、Ｃ１４に記載の通信デバイス。
［Ｃ１６］  動作を繰り返すために、監視するための前記手段、決定するための手段およびブロードキャストするための手段を制御するための手段と、
前記決定された輻輳のレベルの変化に応答して前記通信デバイスによって使用される前記チャネルの前記部分の前記大きさを変更するための手段と
をさらに備える、Ｃ１１に記載の通信デバイス。
［Ｃ１７］  通信デバイス内で使用するためのコンピュータプログラム製品であって、
輻輳のレベルを決定するために少なくとも１つのコンピュータに繰り返し発生する一連の時間および周波数リソースユニットを監視させるためのコードと、
前記少なくとも１つのコンピュータに前記決定された輻輳のレベルに基づいて送信目的で前記通信デバイスによって使用されるべき通信チャネルの部分を決定させるためのコードと
を備えるコンピュータ読み取り可能な媒体
を備える、コンピュータプログラム製品。
［Ｃ１８］    輻輳のレベルを決定するために、繰り返し発生する一連の時間および周波数リソースユニットを監視し、
前記決定された輻輳のレベルに基づいて送信目的で前記通信デバイスによって使用されるべき通信チャネルの部分を決定する
ように構成された少なくとも１つの処理装置と、
前記少なくとも１つの処理装置に接続されたメモリと
を備える、通信デバイス。
［Ｃ１９］  前記通信チャネルの前記部分が、前記通信チャネルの分数であり、
前記少なくとも１つの処理装置がさらに、前記通信デバイスにより占有されている、前記チャネルの前記分数を表示した制御情報をブロードキャストするようにさらに構成され、前記分数が前記通信デバイスによって使用されるべき前記通信チャネルの前記決定された部分に対応する、
Ｃ１８に記載の通信デバイス。
［Ｃ２０］  前記通信チャネルが、探索情報を伝達するために使用されるチャネルである、Ｃ１８に記載の通信デバイス。
【図１】
0005985573.tif 000002
【図２】
0005985573.tif 000003
【図３】
0005985573.tif 000004
【図４】
0005985573.tif 000005
【図５】
0005985573.tif 000006
【図６】
0005985573.tif 000007
【図７】
0005985573.tif 000008
【図８】
0005985573.tif 000009
【図９】
0005985573.tif 000010
【図１０】
0005985573.tif 000011
【図１１】
0005985573.tif 000012
【図１２】
0005985573.tif 000013
【図１３】
0005985573.tif 000014
【図１４】
0005985573.tif 000015
【図１５】
0005985573.tif 000016
【図１６】
0005985573.tif 000017